(57)【要約】【課題】ネットワークシステムにおいて、ユーザーが再生されているコンテンツの所在やファイル名を知らなくても、簡単な操作で当該コンテンツの提供を受けられるようにする。【解決手段】ＣＰＵ１３０が生成した所在照会要求を、ＬＡＮモジュール１１８を通じてコンテンツ再生装置に送信し、コンテンツ再生装置からの所在照会応答を、ＬＡＮモジュール１１８を通じて受信して、コンテンツ再生装置が再生しているコンテンツの所在を把握する。所在照会応答によって把握したコンテンツ保持装置に対して、ＣＰＵ１３０がコンテンツの提供要求を形成し、これをＬＡＮモジュール１１８を通じて当該保持装置に送信し、当該保持装置からコンテンツの提供を受けるようにする。【選択図】図２
2010049526.tif 000002
【特許請求の範囲】
【請求項１】
１以上のコンテンツ再生装置と１以上のコンテンツ保持装置とが接続されたネットワークに接続して通信を行うための通信手段と、
前記ネットワークに接続された前記コンテンツ再生装置が再生中のコンテンツの所在照会要求を形成し、前記ネットワーク上のコンテンツ再生装置に対して前記通信手段を通じて送信する所在照会要求送信手段と、
前記所在照会要求に応じて前記ネットワークを通じて送信されてくる再生中のコンテンツの所在照会応答を、前記通信手段を通じて受信する所在照会応答受信手段と、
受信した前記所在照会応答に基づいて、再生中のコンテンツを保持するコンテンツ保持装置に対し、再生中のコンテンツの提供要求を形成して、前記通信手段を通じて送信する提供要求送信手段と、
前記提供要求に応じて前記ネットワークを通じて送信されてくるコンテンツを、前記通信手段を通じて受信するコンテンツ受信手段と
を備える携帯電子機器。
【請求項２】
請求項１に記載の携帯電子機器であって、
コンテンツを再生している機器の機器照会要求を形成し、前記ネットワーク上の機器に対して前記通信手段を通じて送信する機器照会要求送信手段と、
前記機器照会要求に応じて前記ネットワークを通じて送信されてくるコンテンツを再生している機器を通知する機器照会応答を、前記通信手段を通じて受信する機器照会応答受信手段と
を備え、
前記所在照会要求送信手段は、前記機器照会応答受信手段を通じて受信した前記機器照会応答により通知されたコンテンツの再生中のコンテンツ再生装置に対して、前記所在照会要求を送信する携帯電子機器。
【請求項３】
請求項１に記載の携帯電子機器であって、
コンテンツを再生している機器の機器照会要求を形成し、前記ネットワーク上の装置に対して前記通信手段を通じて送信する機器照会要求送信手段と、
前記機器照会要求に応じて前記ネットワークを通じて送信されてくる再生中の機器を通知する機器照会応答を、前記通信手段を通じて受信する機器照会応答受信手段と、
前記機器照会応答受信手段を通じて複数のコンテンツ再生装置から前記機器照会応答を受信した場合に、複数の前記機器照会応答に基づいて、コンテンツ再生装置を選択するための再生機器選択画面を表示手段に表示する表示制御手段と、
前記再生機器選択画面から目的とするコンテンツ再生装置の選択入力を受け付ける選択入力受付手段と
を備え、
前記所在照会要求送信手段は、前記選択入力受付手段を通じて選択されたコンテンツ再生装置の前記機器照会応答により特定されるコンテンツ再生装置に対して、前記所在照会要求を送信する携帯電子機器。
【請求項４】
請求項１に記載の携帯電子機器であって、
コンテンツの提供態様の指示入力を受け付ける提供態様受付手段を備え、
前記提供要求送信手段は、前記提供態様受付手段を通じて受け付けた提供態様でコンテンツを提供するように要求する提供要求を形成して送信する携帯電子機器。
【請求項５】
請求項４に記載の携帯電子機器であって、
コンテンツの前記提供態様は、再生中のコンテンツのみの提供を要求する態様と、再生中のコンテンツを含む所定のグループの複数のコンテンツの提供を要求する態様と、再生中のコンテンツの作成者あるいは実演者に応じて特定されるコンテンツの提供を要求する態様と、再生中のコンテンツを含むジャンルに属するコンテンツの提供を要求する態様のうちの１つ以上を含む携帯電子機器。
【請求項６】
１以上の携帯電子機器と１以上のコンテンツ保持装置とが接続されるネットワークに接続して通信を行うための通信手段と、
自機に保持しているコンテンツを、あるいは、前記ネットワークを通じてコンテンツ保持装置から自機宛に送信され前記通信手段を通じて受信するコンテンツを再生する再生手段と、
前記ネットワークを通じて送信されてくる自機宛の再生中のコンテンツの所在照会要求を、前記通信手段を通じて受信する所在照会要求受信手段と、
前記再生手段を通じてコンテンツを再生している場合であって、前記所在照会要求受信手段を通じて自機宛の前記所在照会要求を受信したときに、再生中のコンテンツの所在を通知する所在照会応答を形成し、前記通信手段を通じて送信する所在照会応答送信手段と
を備えるコンテンツ再生装置。
【請求項７】
請求項６に記載のコンテンツ再生装置であって、
前記ネットワークを通じて送信されてくるコンテンツを再生している機器の機器照会要求を、前記通知手段を通じて受信する機器照会要求受信手段と、
前記再生手段を通じてコンテンツを再生している場合であって、前記機器照会要求受信手段を通じて前記機器照会要求を受信したときに、自機がコンテンツ再生中であることを示す機器照会応答を形成して前記通信手段を通じて送信する機器照会応答送信手段と
を備えるコンテンツ再生装置。
【請求項８】
１以上のコンテンツ再生装置と１以上のコンテンツ保持装置とが接続されたネットワークに通信手段を通じて接続する接続工程と、
前記ネットワークに接続された前記コンテンツ再生装置が再生中のコンテンツの所在照会要求を形成し、前記ネットワーク上のコンテンツ再生装置に対して前記通信手段を通じて送信する所在照会要求送信工程と、
前記所在照会要求に応じて前記ネットワークを通じて送信されてくる再生中のコンテンツの所在照会応答を、前記通信手段を通じて受信する所在照会応答受信工程と、
受信した前記所在照会応答に基づいて、再生中のコンテンツを保持するコンテンツ保持装置に対し、再生中のコンテンツの提供要求を形成して、前記通信手段を通じて送信する提供要求送信工程と、
前記提供要求に応じて前記ネットワークを通じて送信されてくるコンテンツを、前記通信手段を通じて受信するコンテンツ受信工程と
を有するコンテンツ取得方法。
【請求項９】
請求項８に記載のコンテンツ取得方法であって、
コンテンツを再生している機器の機器照会要求を形成し、前記ネットワーク上の装置に対して前記通信手段を通じて送信する機器照会要求送信工程と、
前記機器照会要求に応じて前記ネットワークを通じて送信されてくる再生中の機器を通知する機器照会応答を、前記通信手段を通じて受信する機器照会応答受信工程と
を有し、
前記所在照会要求送信工程においては、前記機器照会応答受信工程において受信した前記機器照会応答により通知されたコンテンツの再生中のコンテンツ再生装置に対して、前記所在照会要求を送信するコンテンツ取得方法。
【請求項１０】
請求項８に記載のコンテンツ取得方法であって、
コンテンツを再生している機器の機器照会要求を形成し、前記ネットワーク上の装置に対して前記通信手段を通じて送信する機器照会要求送信工程と、
前記機器照会要求に応じて前記ネットワークを通じて送信されてくる再生中の機器を通知する機器照会応答を、前記通信手段を通じて受信する機器照会応答受信工程と、
前記機器照会応答受信工程において複数のコンテンツ再生装置から前記機器照会応答を受信した場合に、複数の前記機器照会応答に基づいて、コンテンツ再生装置を選択するための再生機器選択画面を表示手段に表示する表示制御工程と、
前記再生機器選択画面から目的とするコンテンツ再生装置の選択入力を選択入力受付手段を通じて受け付ける選択入力受付工程と
を有し、
前記所在照会要求送信工程においては、前記選択入力受付工程において受け付けた前記選択入力に応じたコンテンツ再生装置の前記機器照会応答により特定されるコンテンツ再生装置に対して、前記所在照会要求を送信するコンテンツ取得方法。
【請求項１１】
請求項８に記載のコンテンツ取得方法であって、
コンテンツの提供態様の指示入力を、提供態様受付手段を通じて受け付ける提供態様受付工程を有し、
前記提供要求送信工程においては、前記提供態様受付工程を通じて受け付けた提供態様で再生中のコンテンツを提供するように要求する提供要求を形成して送信するコンテンツ取得方法。
【請求項１２】
請求項１１に記載のコンテンツ取得方法であって、
コンテンツの前記提供態様は、再生中のコンテンツのみの提供を要求する態様と、再生中のコンテンツを含む所定のグループの複数のコンテンツの提供を要求する態様と、再生中のコンテンツの作成者あるいは実演者に応じて特定されるコンテンツの提供を要求する態様と、再生中のコンテンツを含むジャンルに属するコンテンツの提供を要求する態様のうちの１つ以上を含むコンテンツ取得方法。
【請求項１３】
１以上の携帯電子機器と１以上のコンテンツ保持装置とが接続されるネットワークに通信手段を通じて接続する接続工程と、
自機に保持しているコンテンツを、あるいは、前記ネットワークを通じてコンテンツ保持装置から自機宛に送信され前記通信手段を通じて受信するコンテンツを、再生手段を通じて再生する再生工程と、
前記ネットワークを通じて送信されてくる自機宛の再生中のコンテンツの所在照会要求を、前記通信手段を通じて受信する所在照会受信工程と、
前記再生手段を通じてコンテンツを再生している場合であって、前記所在照会受信工程において自機宛の前記所在照会要求を受信したときに、再生中のコンテンツの所在を通知する所在照会応答を形成し、前記通信手段を通じて送信する所在照会応答送信工程と
を有するコンテンツの所在通知方法。
【請求項１４】
請求項１３に記載のコンテンツの所在通知方法であって、
前記ネットワークを通じて送信されてくるコンテンツを再生している機器の機器照会要求を、前記通知手段を通じて受信する機器照会要求受信工程と、
前記再生手段を通じてコンテンツを再生している場合であって、前記機器照会要求受信工程において前記機器照会要求を受信したときに、自機がコンテンツ再生中であることを示す機器照会応答を形成して前記通信手段を通じて送信する機器照会応答送信工程と
を有するコンテンツの所在通知方法。
【請求項１５】
１以上のコンテンツ再生装置と１以上のコンテンツ保持装置とが接続されたネットワークに通信手段を通じて接続する接続ステップと、
前記ネットワークに接続された前記コンテンツ再生装置が再生中のコンテンツの所在照会要求を形成し、前記ネットワーク上のコンテンツ再生装置に対して前記通信手段を通じて送信する所在照会要求送信ステップと、
前記所在照会要求に応じて前記ネットワークを通じて送信されてくる再生中のコンテンツの所在照会応答を、前記通信手段を通じて受信する所在照会応答受信ステップと、
受信した前記所在照会応答に基づいて、再生中のコンテンツを保持するコンテンツ保持装置に対し、再生中のコンテンツの提供要求を形成して、前記通信手段を通じて送信する提供要求送信ステップと、
前記提供要求に応じて前記ネットワークを通じて送信されてくるコンテンツを、前記通信手段を通じて受信するコンテンツ受信ステップと
を携帯電子機器に搭載されたコンピュータが実行するコンピュータ読み取り可能なコンテンツ取得プログラム。
【請求項１６】
請求項１５に記載のコンテンツ取得プログラムであって、
コンテンツを再生している機器の機器照会要求を形成し、前記ネットワーク上の装置に対して前記通信手段を通じて送信する機器照会要求送信ステップと、
前記機器照会要求に応じて前記ネットワークを通じて送信されてくる再生中の機器を通知する機器照会応答を、前記通信手段を通じて受信する機器照会応答受信ステップと
を有し、
前記所在照会要求送信ステップにおいては、前記機器照会応答受信ステップにおいて受信した前記機器照会応答により通知されたコンテンツの再生中のコンテンツ再生装置に対して、前記所在照会要求を送信するコンテンツ取得プログラム。
【請求項１７】
請求項１５に記載のコンテンツ取得プログラムであって、
コンテンツを再生している機器の機器照会要求を形成し、前記ネットワーク上の装置に対して前記通信手段を通じて送信する機器照会要求送信ステップと、
前記機器照会要求に応じて前記ネットワークを通じて送信されてくる再生中の機器を通知する機器照会応答を、前記通信手段を通じて受信する機器照会応答受信ステップと、
前記機器照会応答受信ステップにおいて複数のコンテンツ再生装置から前記機器照会応答を受信した場合に、複数の前記機器照会応答に基づいて、コンテンツ再生装置を選択するための再生機器選択画面を表示手段に表示する表示制御ステップと、
前記再生機器選択画面から目的とするコンテンツ再生装置の選択入力を選択入力受付手段を通じて受け付ける選択入力受付ステップと
を有し、
前記所在照会送信ステップにおいては、前記選択入力受付ステップにおいて受け付けた前記選択入力に応じたコンテンツ再生装置の前記機器照会応答により特定されるコンテンツ再生装置に対して、前記所在照会要求を送信するコンテンツ取得プログラム。
【請求項１８】
１以上の携帯電子機器と１以上のコンテンツ保持装置とが接続されるネットワークに通信手段を通じて接続する接続ステップと、
自機に保持しているコンテンツを、あるいは、前記ネットワークを通じてコンテンツ保持装置から自機宛に送信され前記通信手段を通じて受信するコンテンツを、再生手段を通じて再生する再生ステップと、
前記ネットワークを通じて送信されてくる自機宛の再生中のコンテンツの所在照会要求を、前記通信手段を通じて受信する所在照会要求受信ステップと、
前記再生手段を通じてコンテンツを再生している場合であって、前記所在照会要求受信ステップにおいて前記所在照会要求を受信したときに、再生中のコンテンツの所在を通知する所在照会応答を形成し、前記通信手段を通じて送信する所在照会応答ステップと
をコンテンツ再生装置に搭載されたコンピュータが実行するコンピュータ読み取り可能なコンテンツ所在通知プログラム。
【請求項１９】
請求項１８に記載のコンテンツの所在通知プログラムであって、
前記ネットワークを通じて送信されてくるコンテンツを再生している機器の機器照会要求を、前記通知手段を通じて受信する機器照会要求受信ステップと、
前記再生手段を通じてコンテンツを再生している場合であって、前記機器照会要求受信ステップにおいて前記機器照会要求を受信したときに、自機がコンテンツ再生中であることを示す機器照会応答を形成して前記通信手段を通じて送信する機器照会応答送信ステップと
を実行するコンテンツ所在通知プログラム。
【請求項２０】
１以上のコンテンツ再生装置と１以上のコンテンツ保持装置とが接続されたネットワークに接続して通信を行うための通信手段と、
前記ネットワークに接続された前記コンテンツ再生装置が再生中のコンテンツの所在照会要求を形成し、前記ネットワーク上のコンテンツ再生装置に対して前記通信手段を通じて送信する所在照会要求送信手段と、
前記所在照会要求に応じて前記ネットワークを通じて送信されてくる再生中のコンテンツの所在照会応答を、前記通信手段を通じて受信する所在照会応答受信手段と、
受信した前記所在照会応答に基づいて、再生中のコンテンツを保持するコンテンツ保持装置に対し、再生中のコンテンツの提供要求を形成して、前記通信手段を通じて送信する提供要求送信手段と、
前記提供要求に応じて前記ネットワークを通じて送信されてくるコンテンツを、前記通信手段を通じて受信するコンテンツ受信手段と
を備えた携帯電子機器と、
１以上の携帯電子機器と１以上のコンテンツ保持装置とが接続されるネットワークに接続して通信を行うための通信手段と、
自機に保持しているコンテンツを、あるいは、前記ネットワークを通じてコンテンツ保持装置から自機宛に送信され、前記通信手段を通じて受信するコンテンツを再生する再生手段と、
前記ネットワークを通じて送信されてくる自機宛の再生中のコンテンツの所在照会要求を、前記通信手段を通じて受信する所在照会要求受信手段と、
前記再生手段を通じてコンテンツを再生している場合であって、前記所在照会要求受信手段を通じて自機宛の前記所在照会要求を受信したときに、再生中のコンテンツの所在を通知する所在照会応答を形成し、前記通信手段を通じて送信する所在照会応答送信手段と
を備えるコンテンツ再生装置と、
１以上の携帯電子機器と１以上のコンテンツ再生装置とが接続されるネットワークに接続して通信を行うための通信手段と、
前記ネットワークを通じて送信されてくる自機宛のコンテンツの提供要求を、前記通信手段を通じて受信する提供要求受信手段と、
受信したコンテンツの前記提供要求に基づいて、要求されたコンテンツを前記通信手段を通じて要求元の携帯電子機器に送信するコンテンツ送信手段と
を備えたコンテンツ保持装置と
からなるコンテンツ利用システム。
【発明の詳細な説明】
【技術分野】
【０００１】
この発明は、例えば、ＬＡＮ（Local Area Network）等の所定のネットワークを通じてコンテンツを簡単かつ効率的に利用できるようにする装置、方法、プログラム及びシステムに関する。
【背景技術】
【０００２】
ＤＬＮＡ（Digital Living Network Alliance）に代表される、家庭内の異なる電子機器同士をネットワーク接続するガイドラインや規格に準拠した民生用電子機器の台数は、近年顕著な増加傾向にある。
【０００３】
ネットワーク接続した電子機器のユースケースについては、例えばＤＬＮＡでは２台または３台の電子機器間でコンテンツおよびコンテンツの属性情報を伝送する。これにより、ある電子機器に存在する静止画データ・動画データ・音楽データなどのコンテンツを、別の電子機器に転送して再生したり、保存したりすることができる。
【０００４】
例えば、後に記す特許文献１には、簡易なユーザー操作により、同じコンテンツをある機器から別の機器で継続的に再生させることができるようにする技術が開示されている。特許文献１に記載の技術を具体的に説明すると、以下のようになる。
【０００５】
ＨＤＤレコーダ１０でコンテンツＡを再生している場合に、当該コンテンツＡの再生を中断すると、そのコンテンツＡについての再生中断情報を携帯端末４０に送信し、携帯端末４０に保持する。
【０００６】
携帯端末４０を持って移動したユーザー（使用者）は、移動先のネットワークＡＶプレーヤ２０ａに対して、携帯端末４０を用いて上記中断したコンテンツＡの再生を要求する。
【０００７】
すると、ネットワークＡＶプレーヤ２０ａが、ＨＤＤレコーダ１０に当該コンテンツＡの提供を要求し、ＨＤＤレコーダ１０からのコンテンツＡをネットワークＡＶプレーヤ２０ａが再生する。
【０００８】
このように、特許文献１に記載の発明は、携帯端末を介在させることにより、ＬＡＮに接続された機器間で、データの転送を簡単かつ適切に行えるようにし、ＬＡＮを通じてコンテンツを柔軟に利用することができるようにしている。
【０００９】
なお、上述した特許文献１は、以下に示す通りである。
【特許文献１】特開２００６−３０１７７７号公報
【発明の開示】
【発明が解決しようとする課題】
【００１０】
上述した特許文献１に記載の技術の場合、最初の再生機器から、移動先の再生機器へのコンテンツの転送を、携帯端末を介在させることにより、簡単に行うことができる。しかし、上述もしたように、ＬＡＮなどのネットワークに可能な機器の台数も多くなってきており、それらを制御することが難しくなってきている。
【００１１】
図１８は、ＤＬＮＡに準拠した民生用電子機器のホームネットワークシステムの構成例を説明するための図である。図１８に示すように、ＬＡＮ５に対して、パーソナルコンピュータ４と、音楽再生装置３と、無線ルーター２を介して携帯電話端末１とが接続されている。
【００１２】
そして、図１８に示したホームネットワークシステムにおいて、パーソナルコンピュータ４に保存されている例えばＭＰ３形式の音楽ファイルが、ＬＡＮ５に接続されている音楽再生装置（オーディオコンポ）３で再生されているとする。このときに、ユーザー６がその曲を自分の携帯電話端末１にダウンロードして、屋外でも聴きたいと思った場合（ユースケース）を想定してみる。
【００１３】
このユースケースをＤＬＮＡ対応機器で実現しようとすると、まず再生中の音楽ファイルが、どの電子機器に保存されているのかを、ユーザー６が予め知っている必要がある。この例では、再生中の音楽ファイルは、パーソナルコンピュータ４に保存されているのか、あるいは、音楽再生装置３に保存されているのかが分からなければ、どの機器にダウンロードの要求を送ればよいか分からない。
【００１４】
そして、再生中の音楽ファイルを保存している電子機器が特定できたとしても、その音楽ファイルが当該保存機器上で、何というファイル名で保存されているのかを、ユーザー６が予め知っている必要がある。ファイル名が分からなければ、その音楽ファイルのダウンロードの要求を送ることができない。
【００１５】
しかしながら、ネットワーク上に多数のＤＬＮＡ対応機器が存在する場合や、ユーザー６が多数のコンテンツを保持している場合は、その組み合わせは膨大なものとなり、ユーザー６が全ての情報を正確に把握しておくことはきわめて困難である。この理由により、従来技術では、こういったユースケースを満たすことが困難であるという問題がある。
【００１６】
以上のことに鑑み、この発明は、ネットワークシステムにおいて、ユーザーが再生されているコンテンツの所在やファイル名を知らなくても、簡単な操作で当該コンテンツの提供を受けられるようにすることを目的とする。
【課題を解決するための手段】
【００１７】
上記課題を解決するため、請求項１に記載の発明の携帯電子機器は、
１以上のコンテンツ再生装置と１以上のコンテンツ保持装置とが接続されたネットワークに接続して通信を行うための通信手段と、
前記ネットワークに接続された前記コンテンツ再生装置が再生中のコンテンツの所在照会要求を形成し、前記ネットワーク上のコンテンツ再生装置に対して前記通信手段を通じて送信する所在照会要求送信手段と、
前記所在照会要求に応じて前記ネットワークを通じて送信されてくる再生中のコンテンツの所在照会応答を、前記通信手段を通じて受信する所在照会応答受信手段と、
受信した前記所在照会応答に基づいて、再生中のコンテンツを保持するコンテンツ保持装置に対し、再生中のコンテンツの提供要求を形成して、前記通信手段を通じて送信する提供要求送信手段と、
前記提供要求に応じて前記ネットワークを通じて送信されてくるコンテンツを、前記通信手段を通じて受信するコンテンツ受信手段と
を備える。
【００１８】
この請求項１に記載の発明の携帯電子機器によれば、ネットワーク上のコンテンツ再生装置が再生中のコンテンツの所在照会要求が、所在照会要求送信手段によって形成され、通信手段を通じて、ネットワーク上のコンテンツ再生装置に送信される。
【００１９】
コンテンツを再生しているコンテンツ再生装置は、携帯電子機器からの所在照会要求に応じて、再生中のコンテンツの所在を示す所在照会応答を形成して送信してくるので、当該所在照会応答を所在照会応答受信手段が通知手段を介して受信する。
【００２０】
受信した所在照会応答により、再生中のコンテンツはどこに保持されているのかが分かるので、提供要求送信手段は、再生中のコンテンツを保持するコンテンツ保持装置に対して、当該コンテンツの提供要求を形成し、これを通信手段を介して送信する。
【００２１】
当該再生中のコンテンツを保持しているコンテンツ保持装置は、コンテンツの提供要求に応じて、提供を指示されたコンテンツを要求元の携帯電子機器に送信してくるので、コンテンツ受信手段は、これを受信して利用できるようにする。
【００２２】
この場合、受信したことは、所定の記録媒体に記録されて利用できるようにされたり、そのまま再生したりすることができるようにされる。すなわち、ダウンロードして記憶保持するようにしたり、ストリーミング再生するようにしたりして利用することができるようにされる。
【００２３】
これにより、所定のネットワークにおいて、ユーザーがコンテンツの所在やファイル名を知らなくても、簡単な操作でネットワークに接続された機器が再生中のコンテンツの所在を特定し、当該コンテンツの提供を受け、利用することができるようにされる。
【００２４】
また、請求項２に記載の発明の携帯電子機器は、請求項１に記載の携帯電子機器であって、
コンテンツを再生している機器の機器照会要求を形成し、前記ネットワーク上の機器に対して前記通信手段を通じて送信する機器照会要求送信手段と、
前記機器照会要求に応じて前記ネットワークを通じて送信されてくるコンテンツを再生している機器を通知する機器照会応答を、前記通信手段を通じて受信する機器照会応答受信手段と
を備え、
前記所在照会要求送信手段は、前記機器照会応答受信手段を通じて受信した前記機器照会応答により通知されたコンテンツの再生中のコンテンツ再生装置に対して、前記所在照会要求を送信する。
【００２５】
この請求項２に記載の発明の携帯電子機器によれば、機器照会要求送信手段により、コンテンツを再生している機器の機器照会要求が形成され、これが通信手段を介してネットワーク上の機器に送信される。
【００２６】
機器照会要求を受信したコンテンツ再生中のコンテンツ再生装置は、機器照会応答を形成して送信してくるので、機器照会応答受信手段は、通信手段を介して機器照会応答を受信する。この受信した機器照会応答により、コンテンツ再生中の機器は、ネットワーク上のどのコンテンツ再生機器であるかが把握される。そして、受信した機器照会応答により特定されるコンテンツ再生中のコンテンツ再生装置に対して、所在照会要求送信手段により、所在照会要求が送信される。
【００２７】
これにより、コンテンツ再生中のコンテンツ再生装置に対して、コンテンツの所在照会要求を適切に送信し、確実に、かつ、効率よくコンテンツの所在を照会し、コンテンツの所在を特定することができる。したがって、所定のネットワークにおいて、ユーザーがコンテンツの所在やファイル名を知らなくても、簡単な操作でネットワークに接続された機器が再生中のコンテンツの所在を特定し、当該コンテンツの提供を受け、利用することができるようにされる。
【００２８】
また、請求項３に記載の発明の携帯電子機器は、請求項１に記載の携帯電子機器であって、
コンテンツを再生している機器の機器照会要求を形成し、前記ネットワーク上の装置に対して前記通信手段を通じて送信する機器照会要求送信手段と、
前記機器照会要求に応じて前記ネットワークを通じて送信されてくる再生中の機器を通知する機器照会応答を、前記通信手段を通じて受信する機器照会応答受信手段と、
前記機器照会応答受信手段を通じて複数のコンテンツ再生装置から前記機器照会応答を受信した場合に、複数の前記機器照会応答に基づいて、コンテンツ再生装置を選択するための再生機器選択画面を表示手段に表示する表示制御手段と、
前記再生機器選択画面から目的とするコンテンツ再生装置の選択入力を受け付ける選択入力受付手段と
を備え、
前記所在照会要求送信手段は、前記選択入力受付手段を通じて選択されたコンテンツ再生装置の前記機器照会応答により特定されるコンテンツ再生装置に対して、前記所在照会要求を送信する。
【００２９】
この請求項３に記載の携帯電子機器によれば、機器照会要求送信手段により、コンテンツを再生している機器を問い合わせる機器照会要求が形成され、これが通信手段を介してネットワーク上の機器に送信される。
【００３０】
機器照会要求を受信したコンテンツ再生中のコンテンツ再生装置は、自機がコンテンツ再生中の機器であることを示す機器照会応答を形成して送信してくるので、機器照会応答受信手段は、通信手段を介して機器照会応答を受信する。
【００３１】
ネットワークに接続された複数のコンテンツ再生装置がコンテンツ再生中である場合、これら複数のコンテンツ再生装置から機器照会応答が送信されてくる。この場合、受信した機器照会応答に基づいて、表示制御手段により、コンテンツ再生装置を選択するための再生機器選択画面が表示手段に表示される。そして、選択入力受付手段を通じて、ユーザーが目的とするコンテンツ再生装置の選択入力が受け付けられる。
【００３２】
そして、所在照会送信手段により、選択入力受付手段を通じて受け付けたユーザーからの選択入力によって特定されるコンテンツ再生中のコンテンツ再生装置に対して所在照会要求が送信される。
【００３３】
これにより、コンテンツ再生中のコンテンツ再生装置が複数存在しても、ユーザーが目的とするコンテンツ再生中のコンテンツ再生装置に対して、コンテンツの所在照会要求を適切に送信することができるようにされる。したがって、所定のネットワークにおいて、ユーザーがコンテンツの所在やファイル名を知らなくても、簡単な操作でネットワークに接続された機器が再生中のコンテンツの所在を特定し、当該コンテンツの提供を受け、利用することができるようにされる。
【発明の効果】
【００３４】
この発明によれば、所定のネットワークに種々の電子機器が接続され、種々のコンテンツの伝送が可能な場合に、ユーザーがコンテンツの所在やファイル名を知らなくても、簡単な操作で再生中のコンテンツの提供を受け、これを利用できるようにすることが可能とされる。
【発明を実施するための最良の形態】
【００３５】
以下、図を参照しながら、この発明の一実施の形態について説明する。
【００３６】
＜第１の実施の形態＞
［第１の実施の形態のシステムの概要］
図１は、第１の実施の形態のホームネットワークシステム（コンテンツ利用システム）の概要を説明するための図である。図１に示すように、第１の実施の形態のホームネットワークシステムは、携帯電話端末１００と、音楽再生装置３００と、パーソナルコンピュータ４００とが、ＬＡＮ５００を通じて接続される構成となっている。
【００３７】
携帯電話端末１００は、後述もするが、無線によるＬＡＮへの接続機能を備え、無線ルーター２００を介してＬＡＮ５００に接続し、ＬＡＮ５００を通じて音楽コンテンツのダウンロードなどを行うことができるものである。つまり、携帯電話端末１００は、ダウンロード装置としての機能を有するものである。
【００３８】
なお、携帯電話端末１００は、ＬＡＮ５００を通じて提供を受ける音楽コンテンツを再生したり、自機に搭載された記録媒体に保持する音楽コンテンツを、ＬＡＮ５００を通じて送信したりするなどのこともできるものである。
【００３９】
音楽再生装置３００は、後述もするが、ＬＡＮへの接続機能を備え、ＬＡＮ５００を通じて提供される音楽コンテンツ（オーディオデータ）を受信してこれを再生することができるものである。つまり、音楽再生装置３００は、ＬＡＮ５００を通じて提供されるコンテンツを再生するコンテンツ再生装置としての機能を有するものである。
【００４０】
なお、音楽再生装置３００は、それ自体が例えば、ＣＤ（Compact Disc）やＭＤ（Mini Disc（登録商標））等の記録媒体のドライブ（メディアドライブ）を備えている。そして、自機に装填された記録媒体に記録されている音楽コンテンツを再生したり、ＬＡＮ５００を通じて送信したりすることもできるものである。
【００４１】
パーソナルコンピュータ４００は、後述もするが、大容量のハードディスクを有するハードディスクドライブと、ＬＡＮへの接続機能とを備えたものである。そして、パーソナルコンピュータ４００は、自機のハードディスクに保持している多数の音楽コンテンツを、ＬＡＮ５００を通じて音楽再生装置３００等に対して提供することができるものである。すなわち、パーソナルコンピュータ４００は、コンテンツ保持装置としての機能を有するものである。
【００４２】
なお、パーソナルコンピュータ４００は、それ自体も自機のハードディスクに保持している音楽コンテンツを再生したり、ＬＡＮ５００を通じて音楽コンテンツの提供を受けたりすることもできるものである。
【００４３】
このように、この第１の実施の形態のホームネットワークシステムを構成する各機器は、ＬＡＮ５００を通じて相互に音楽コンテンツを送受し、そのそれぞれの装置（機器）において種々の態様で利用することができるものである。
【００４４】
なお、第１の実施の形態のホームネットワークシステムに接続される各機器は、いわゆるＤＬＮＡガイドラインに沿った機能に準拠しているものである。ＤＬＮＡガイドラインは、電子機器同士の相互接続性を実現するために活動する団体が提供する、通信方式やデータ伝送方式の仕様およびデータフォーマットに関するガイドラインのことである。
【００４５】
また、図１に示した第１の実施の形態のホームネットワークシステムにおいて、上述もしたように、携帯電話端末１００は、無線通信方式（Wireless方式）で無線ルーター２００を介してＬＡＮ５００に接続される。無線ルーター２００と、音楽再生装置３００と、パーソナルコンピュータ４００とは、例えばイーサネット（登録商標）等の有線通信方式でＬＡＮ５００に接続される。
【００４６】
このように構成される第１の実施の形態においては、音楽再生装置３００がパーソナルコンピュータ４００からＬＡＮ５００を通じて提供を受けて再生中の音楽コンテンツを、携帯電話端末１００がダウンロードする場合について考える。
【００４７】
上述もしたように、この第１の実施の形態のホームネットワークシステムにおいては、携帯電話端末１００がダウンロード装置として用いられる。また、音楽再生装置３００がコンテンツ再生装置として用いられる。また、パーソナルコンピュータ４００がコンテンツ保持装置として用いられる。
【００４８】
この場合、携帯電話端末１００のユーザーは、携帯電話端末１００を操作して、図１において（１）が示すように、コンテンツ再生中の音楽再生装置３００にＬＡＮ５００経由で、コンテンツの所在照会（コンテンツが何処に存在するかの問合せ）を行う。
【００４９】
ユーザーが携帯電話端末１００を操作して、最初に音楽再生装置３００へ問い合わせを行うのは、ユーザーにとって自然な行為といえる。なぜならば、この時点で再生中のコンテンツに関する情報を持っているとユーザーが認知できるのは、音楽コンテンツを再生中である音楽再生装置３００だけだからである。
【００５０】
音楽コンテンツを再生している音楽再生装置３００は、コンテンツの所在照会をしてきた携帯電話端末１００に対して、図１において（２）が示すように、再生中の音楽コンテンツの所在応答（コンテンツが何処に存在するかの応答）を返信する。これにより、携帯電話端末１００は、再生中の音楽コンテンツの所在を把握する。
【００５１】
音楽コンテンツの所在照会の結果、パーソナルコンピュータ４００が再生中の音楽コンテンツを保持していることが判明したとする。この場合には、ユーザーは携帯電話端末１００を操作して、図１において（３）が示すように、パーソナルコンピュータ４００に対して再生中のコンテンツの伝送要求（提供要求）を行う。
【００５２】
これにより、図１において（４）が示すように、パーソナルコンピュータ４００から再生中の音楽コンテンツが携帯電話端末１００に伝送（提供）され、携帯電話端末１００が当該音楽コンテンツをダウンロードすることができるようにされる。
【００５３】
なお、音楽コンテンツの所在照会の結果、音楽再生装置３００自身が再生中の音楽コンテンツを保持していることが判明した場合には、ユーザーは携帯電話端末１００を操作して、音楽再生装置３００に対して再生中のコンテンツの伝送要求（提供要求）を行う。これにより、音楽再生装置３００から再生中の音楽コンテンツをダウンロードすることもできるようにされる。
【００５４】
このように、第１の実施の形態のホームネットワークシステムにおいては、携帯電話端末１００のユーザーは、事前に音楽コンテンツの所在および再生中の音楽コンテンツの属性情報（例えば音楽コンテンツのファイル名等）を把握しておく必要は無い。
【００５５】
第１の実施の形態のホームネットワークシステムは、携帯電話端末１００のユーザーが、今、聴取している音楽コンテンツを、極めて簡単な操作で自分の携帯電話端末１００にダウンロードすることができるという、新たなユースケースを実現する。
【００５６】
さらに、第１のホームネットワークシステムにおいては、応用として、ある音楽コンテンツがＤＬＮＡ対応機器で再生されている場合、ユーザーが、その音楽コンテンツを含むアルバムの全曲をダウンロードするといった新たな機能をも実現する。
【００５７】
また、ある音楽コンテンツがＤＬＮＡ対応機器で再生されている場合、ユーザーが、その音楽コンテンツを演奏しているアーティストの別の曲も併せてダウンロードする、といった新たな機能をも実現する。
【００５８】
このように、単に、再生中の音楽コンテンツをダウンロードするだけでなく、種々の態様で音楽コンテンツをダウンロードすることができるようにしている。
【００５９】
［携帯電話端末１００の構成例］
次に、第１の実施の形態のホームネットワークシステムに接続される携帯電話端末１００の構成例について説明する。図２は、この発明の携帯電子機器の一実施の形態が適用された、携帯電話端末１００の構成例を説明するためのブロック図である。
【００６０】
図２に示すように、この実施の形態の携帯電話端末１００には、制御信号の伝送に用いられる制御ライン（制御バス）１０１と、種々のデータの伝送に用いられるデータライン（データバス）１０２とが設けられている。
【００６１】
制御ライン１０１には、図１に示すように、ＣＰＵ（Central Processing Unit）１３０、通信回路１０４、ＲＯＭ（Read Only Memory）１０９、ＲＡＭ（Random Access Memory）１１０が接続されている。
【００６２】
また、制御ライン１０１には、ＥＥＰＲＯＭ（Electrically Erasable and Programmable ROM）１１１、表示制御部１１２、押下検出部１１５、鳴音制御部１１６、振動装置１１７、ＬＡＮ（Local Area Network）モジュール１１８が接続されている。
【００６３】
さらに、制御ライン１０１には、カメラモジュール１２０、外部メモリ１２１、音楽再生部１２２が接続されている。
【００６４】
また、データライン１０２には、図２に示すように、通信回路１０４、ＲＯＭ１０９、ＲＡＭ１１０、ＥＥＰＲＯＭ１１１、表示制御部１１２、押下検出部１１５、Ｄ／Ａ変換器１０５、Ａ／Ｄ変換器１０８、鳴音制御部１１６が接続されている。
【００６５】
また、データライン１０２には、ＬＡＮモジュール１１８、カメラモジュール１２０、外部メモリ１２１、音楽再生部１２２が接続されている。
【００６６】
そして、図２に示すように、通信回路１０４には、送受信アンテナ１０３が接続されている。表示制御部１１２には、表示部としてのＬＣＤ（Liquid Crystal Display）１１３が接続されている。押下検出部１１５には、キー操作部１１４が接続されている。ＬＡＮモジュール１１８には、ＬＡＮ用送受信アンテナ１１９が接続されている。
【００６７】
また、Ｄ／Ａ変換器１０５と鳴音制御部１１６とには、受話器としても用いられるスピーカ１０６が接続されている。Ａ／Ｄ変換器１０８には、送話器として用いられるマイクロホン（図１においては、マイクと記載。）１０７が接続されている。
【００６８】
なお、ここでは、鳴音制御部１１６とＤ／Ａ変換器１０５には、スピーカ１０６が接続されるものとして説明したが、これに限るものではない。そのそれぞれ個別のスピーカを設けるようにすることももちろん可能である。
【００６９】
また、携帯電話端末１００は、図示しないが、例えば、充電式バッテリパックを電源として用い、携帯電話端末１００の電源がオンにされている場合に、各回路部分に駆動電源を供給する電源供給回路をも備えている。
【００７０】
そして、携帯電話端末１００において、ＣＰＵ１３０と、ＲＯＭ１０９と、ＲＡＭ１１０と、ＥＥＰＲＯＭ１１１とによりマイクロコンピュータを構成している。このマイクロコンピュータが、携帯電話端末１００の各部を制御する制御部としての機能を有するようになっている。
【００７１】
［携帯通信端末１００の基本動作］
次に、図２に示した構成を有する携帯電話端末１０の基本動作について説明する。まず、自機への着信時の処理、すなわち、自機にかかってきた電話に応答する場合の処理について説明する。
【００７２】
送信されてくる着信通知信号は、送受信アンテナ１０３、通信回路１０４により受信選局される。通信回路１０４において選局された信号は、通信回路１０４において復調され、この復調された信号が制御ライン１０１を介してＣＰＵ１３０に通知される。
【００７３】
ＣＰＵ１３０は、受信選局した信号が、自機宛の着信通知信号である場合には、例えば、ＲＯＭ１０９に予め用意されている着信メロディなどの着信音を形成する着信音データを読み出して、これを鳴音制御部１１６に供給する。
【００７４】
鳴音制御部１１６は、これに供給された着信音データからアナログ信号の着信音を形成し、これをスピーカ１０６に供給する。これにより、スピーカ１０６からは、着信音が放音され、着信があることが携帯電話端末１００のユーザーに通知される。
【００７５】
同じように、ＣＰＵ１３０は、自機宛の着信通知信号を検出すると、振動装置１１７を制御して振動させることにより、この振動によって着信があることを携帯電話端末１００のユーザーに通知することもできる。
【００７６】
なお、着信音による着信通知と、振動による着信通知との両方を同時に用いるようにすることも可能であるし、また、どちらか一方のみを用いるようにすることも可能である。
【００７７】
着信音により、あるいは、振動により、携帯電話端末１００のユーザーが自己の携帯電話端末に着信があることに気付いた場合には、ユーザーは、キー操作部１１４に設けられた通話開始キー(オフフックキー)を操作する。
【００７８】
通話開始キーが操作された場合には、これが押下検出部１１５により検出され、制御ライン１０１を通じてＣＰＵ１３０に通知される。
【００７９】
ＣＰＵ１３０は、押下検出部１１５からの通話開始キーが押下されたことの通知を受け付けると、通信回路１０４を制御して、応答信号を送出するなどの所定の通信回線の接続処理を行なう。これにより、自機に電話をかけてきた通信端末と、携帯電話端末１００との間に通信回線が接続され、通話が行なえるようになる。
【００８０】
すなわち、電話をかけてきた相手先からの信号は、送受信アンテナ１０３、通信回路１０４を通じて受信選局される。この受信選局された相手先からの信号は、通信回路１０４において復調するなどの処理が行われてベースバンド信号とされ、これがデータライン１０２を通じてＤ／Ａ変換器１０５に供給される。
【００８１】
Ｄ／Ａ変換器１０５は、これに供給されたベースバンド信号をアナログ信号に変換して、これをスピーカ１０６に供給する。これにより、相手先から送信されて来た信号に応じた音声がスピーカ１０６より放音される。
【００８２】
また、この携帯電話端末１００のユーザーからの音声は、マイクロホン１０７により集音され、アナログの電気信号としてＡ／Ｄ変換器１０８に供給される。Ａ／Ｄ変換器１０８は、これに供給されたアナログ音声信号をデジタル信号に変換し、データライン１０２を通じて通信回路１０４に供給する。
【００８３】
通信回路１０４は、これに供給されたデジタル信号を含む送信信号を形成して送受信アンテナ１０３を通じて送信する。これにより、ユーザーの音声が通信の相手先に送信するようにされる。このようにして、自機にかかってきた電話に応答し、電話をかけて来た相手先との間に通信回線を接続して通話を行なうようにすることができる。
【００８４】
また、携帯電話端末１００から電話をかける場合には、例えば、携帯電話端末１００のキー操作部１１４に設けられている数字キーを押下操作して目的とする相手先の電話番号を入力する。
【００８５】
すると、押下操作された数字キーが押下検出部１１５により検出され、制御ライン１０１を通じてＣＰＵ１３０に通知される。ＣＰＵ１３０は、これを例えばＲＡＭ１１０に一時記憶し、通話開始キーが押下操作されたことを検出すると、受け付けた電話番号を含む発信信号を形成し、これを通信回路１０４、送受信アンテナ１０３を通じて送信する。
【００８６】
この発信信号は、基地局や交換機などの電話会社側の設備を通じて目的とする相手先の電話端末に送信するようにされる。そして、この発信信号に応じて、相手先が応答操作を行なった時には、相手先から応答信号が送信されて来る。
【００８７】
この応答信号を受信すると、ＣＰＵ１３０の制御により、通信回路１０４は、その目的とする相手先との間に通信回線が接続されたことを確認する。そして、前述した自機への着信に応答して通話を行う場合と同様に、送受信アンテナ１０３、通信回路１０４、Ｄ／Ａ変換器１０５、スピーカ１０６、マイクロホン１０７、Ａ／Ｄ変換器１０８を通じて通話が行われる。
【００８８】
なお、電話をかける場合には、携帯電話端末に予め登録しておくようにするいわゆる電話帳データの中から目的とする相手先の電話番号を選択し、通話開始キーを押下操作することにより、発信を行なうようにすることもできる。
【００８９】
また、電話がかかってきたときに、電話をかけて来た相手先の電話番号を表示したり、あるいは、現在時刻を表示したりすることもできる。また、上述の電話帳データの登録時や選択時において、電話番号やその電話番号に対応する氏名や名称を表示したり、あるいは、種々のガイダンスメッセージや警告メッセージなどを表示したりすることもできる。
【００９０】
このために、表示制御部１１２、ＬＣＤ１１３が設けられている。すなわち、表示制御部１１２は、ＣＰＵ１３０の制御に応じて、ＬＣＤ１１３に各種の情報を表示する。なお、ＬＣＤ１１３は、比較的に大きな表示画面を有するものあり、種々の表示情報を視認性良くユーザーに提供することができるようにしている。
【００９１】
このようにして、携帯電話端末１００は、かかってきた電話に対して応答したり、目的とする相手先に対して電話をかけたりすることができるものである。
【００９２】
さらに、携帯電話端末１００は、例えば電話会社側の提供する機能を経由して、インターネットにアクセスし、目的とするホームページにアクセスして情報の検索を行ったり、必要な情報をダウンロードしたり、あるいは、電子メールの送受信を行うこともできるようにされている。
【００９３】
携帯電話端末１００を通じてインターネットに接続する場合には、ユーザーは、キー操作部１１４に設けられている所定のインターネット接続キーを操作する。当該操作は、押下検出部１１５によって検出されて、インターネットへの接続要求が押下検出部１１５から制御ライン１０１を通じてＣＰＵ１３０に通知される。
【００９４】
これに応じてＣＰＵ１３０は、制御ライン１０１を通じて通信回路１０４を制御し、通信回路１０４においてインターネットへの接続要求を形成して、これを送受信アンテナ１０３を通じて送信する。このインターネットへの接続要求を受信した電話会社側のシステムは、当該要求に応じて、要求元の携帯電話端末をインターネットに接続する。
【００９５】
これにより、携帯電話端末１００はインターネットに接続され、目的とするサーバーにアクセスし、パケットデータを送受することにより、必要な情報の提供を要求し、これに応じた情報の提供を受けたりするなどのことができるようにされる。
【００９６】
また、携帯電話端末１００は、送信する電子メールをＥＥＰＲＯＭ１１１の送信フォルダ内に作成することもできるようにしている。この場合、キー操作部１１４、押下検出部１１５を通じて文字入力を行い、この入力した文字を、表示制御部１１２を通じて表示部１１３に表示して確認しながら送信する電子メールを作成できる。
【００９７】
このようにして、ＥＥＰＲＯＭ１１１内の送信フォルダに形成された送信用の電子メールは、キー操作部１１４に対して電子メールを送信する操作を行うことによって、これが押下検出部１１５で検出されて、制御ライン１０１を通じてＣＰＵ１３０に通知される。ＣＰＵ１３０は、通信回路１０４を制御し、ＥＥＰＲＯＭ１１１の送信フォルダ内に作成された電子メールを指示された相手先のメールサーバに送信する。
【００９８】
また、自機への電子メールが自己のメールサーバに蓄積されている場合には、自機宛の電子メールの受信を指示する操作をキー操作部１１４に対して行うと、これが押下検出部１１５によって検出されて制御ライン１０１を通じてＣＰＵ１３０に通知される。
【００９９】
この場合、ＣＰＵ１３０は、通信回路１０４を制御し、自己のメールサーバにアクセスして、自機宛の電子メールをダウンロードしてきて、これをＥＥＰＲＯＭ１１１の受信フォルダに格納する。
【０１００】
このようにしてＥＥＰＲＯＭ１１１内の受信フォルダに格納された自機宛の電子メールは、ＣＰＵ１３０の制御により読み出されて、データライン１０２を通じて表示制御部１１２に供給される。
【０１０１】
これにより、自機宛の電子メールは表示制御部１１２を通じてＬＣＤ１１３に供給されて、その表示画面に表示される。このようにして、相手先からの自機宛の電子メールを取得し、ＬＣＤ１１３に表示して、これをユーザーが読むことができるようにされる。
【０１０２】
このように、携帯電話端末１００は、単に電話通信を行うことができるだけでなく、インターネットへの接続機能をも備え、インターネットを通じて情報の取得や電子メールの送受信などをも行うことができるものである。すなわち、携帯電話端末１００は、広域通信機能としては、電話通信の他、インターネットを通じてのデータ通信をも行うことができるものである。
【０１０３】
さらに、携帯電話端末１００は、上述もしたように、ＬＡＮモジュール１１８をも備えている。これにより、キー操作部１１４を通じて所定の操作入力を受け付けたときには、ＣＰＵ１３０は、ＬＡＮモジュール１１８を制御する。
【０１０４】
そして、無線ルーター２００を通じてＬＡＮ５００に接続し、音楽コンテンツを再生している音楽再生装置に音楽コンテンツの所在照会を行い、所在応答を得て、再生中の音楽コンテンツをダウンロードするなどのことができるようにしている。
【０１０５】
このようにしてダウンロードされた音楽コンテンツは、ＬＡＮモジュール１１８、データライン１０２を通じて、外部メモリ１２１に記録される。あるいは、ＬＡＮモジュール１１８からデータライン１０２を通じて音楽再生部１２２に供給されて、ストリーミング再生される。
【０１０６】
また、外部メモリ１２１に記録された音楽コンテンツは、キー操作部１１４を通じて再生指示を受け付けたときに、ＣＰＵ１３０の制御により読み出され、データライン１０２を通じて音楽再生部１２２に供給され、再生することができるようにされる。
【０１０７】
音楽再生部１２２には、図２に示すように、例えば、ヘッドホン１２３などが接続され、当該ヘッドホン１２３を通じて、ユーザーは再生音声を聴取することができるようにされる。
【０１０８】
また、携帯電話端末１００は、カメラモジュールをも備え、被写体の画像を撮影して、これをデジタル画像データとして取り込み、ＥＥＰＲＯＭ１１１や外部メモリ１２１に格納することもできるようにしている。
【０１０９】
撮影されＥＥＰＲＯＭ１１１や外部メモリ１２１に格納された画像データは、必要に応じて読み出して表示制御部１１２を通じてＬＣＤ１１３に供給され、ＬＣＤ１１３の表示画面に表示するなどして利用することができるようにされる。
【０１１０】
また、携帯電話端末１００は、図示しないＵＳＢＩ／Ｆをも備え、ＵＳＢＩ／Ｆを備えた種々の外部機器を接続することもできるものである。例えば、ＵＳＢメモリを接続して、ＥＥＰＲＯＭ１１１に格納されているデジタル画像データを当該ＵＳＢメモリにバックアップしたり、また、ＵＳＢＩ／Ｆを通じてパーソナルコンピュータに接続して、データをパーソナルコンピュータのハードディスクにバックアップしたり、パーソナルコンピュータから種々のデータの提供を受けたりすることができるようにされる。
【０１１１】
また、携帯電話端末１００は、図示しない時計回路１２２を備え、現在年月日、現在曜日、現在時刻を提供することができると共に、ＣＰＵ１３０の制御に応じて、処理時間を計測したりするなど、種々の時間間隔を計測するなどのことも出来るものである。
【０１１２】
このように、携帯電話端末１００は、電話網に接続して電話通信を行ったり、インターネットに接続して、種々の通信を行ったりすることができるほか、ＬＡＮモジュール１１８を通じてＬＡＮ５００に接続し、種々のデータの送受を行うこともできるものである。
【０１１３】
［音楽再生装置３００の構成例］
次に、第１の実施の形態のホームネットワークシステムに接続される音楽再生装置３００の構成例について説明する。図３は、この発明のコンテンツ再生装置の一実施の形態が適用された音楽再生装置３００の構成例を説明するためのブロック図である。
【０１１４】
図３に示すように、この実施の形態の音楽再生装置３００は、メディアドライブ３０１がセレクタ３０４に接続されている。また、ＬＡＮ接続端子３０２がＬＡＮインターフェース（以下、ＬＡＮＩ／Ｆと略称する）３０３を通じてセレクタ３０４に接続されている。
【０１１５】
セレクタ３０４は、再生処理部３０５に接続されている。再生処理部３０５は、左右２チャンネルのスピーカ３０７Ｌ、３０７Ｒのそれぞれに接続されている。
【０１１６】
また、図３に示すように、制御部３１０が、音楽再生装置３００の各部に対して接続されている。制御部３１０は、音楽再生装置３００の各部を制御するものであり、図３に示すように、ＣＰＵ３１１、ＲＯＭ３１２、ＲＡＭ３１３、ＥＥＰＲＯＭ３１４が、ＣＰＵバス３１５を通じて接続されて形成されたマイクロコンピュータである。
【０１１７】
ＣＰＵ３１１は、後述もするＲＯＭ３１２に記憶保持されているプログラムを実行し、各部に供給する制御信号を生成して各部に供給したり、各部から供給されるデータを処理したりするものである。
【０１１８】
ＲＯＭ３１２は、上述したように、ＣＰＵ３１１が実行する各種のプログラムや処理に必要になる種々のデータが記録されたものである。ＲＡＭ３１３は、種々の処理において途中結果を一時記憶するなど、主に作業領域として用いられるものである。
【０１１９】
ＥＥＰＲＯＭ３１４は、いわゆる不揮発性メモリであり、この音楽再生装置３００の電源が落とされても保持しておくべきデータ、例えば、種々の設定パラメータや機能強化のために新たに提供されたプログラム、その他の種々のデータが記憶保持される。
【０１２０】
また、制御部３１０には、操作部３２０が接続されている。操作部３２０は、セレクタの切り替えスイッチ、再生開始、一時停止、再生停止、早送り、早戻しなどの各種の操作キー、その他の種々のファンクジョンキーやダイヤルキーなどからなるものである。
【０１２１】
そして、操作部３２０は、ユーザーから種々の操作入力を受け付けて、これを電気信号に変換し、制御部３１０に通知することができるものである。これにより、制御部３１０は、ユーザーの操作入力に応じて各部を制御し、音楽再生装置３００がユーザーの指示に応じた処理を行うことができるようにしている。
【０１２２】
この実施の形態において、音楽再生装置３００のメディアドライブ３０１は、例えば、ＣＤ（Compact Disc）やＭＤ（Mini Disc（登録商標））等の着脱可能とされた記録媒体の装填口を備えたものである。
【０１２３】
メディアドライブ３０１は、制御部３１０の制御により、これに装填された記録媒体を回転駆動させ、目的とする音楽コンテンツを読み出して、これを出力する。
【０１２４】
ＬＡＮ接続端子３０２は、ＬＡＮ５００への接続端を形成する部分である。ＬＡＮＩ／Ｆ３０３は、ＬＡＮ接続端子３０２を通じて供給される自機宛のデータを受信し、制御データと音楽コンテンツとを分離して、制御データは制御部３１０に、音楽コンテンツはセレクタ３０４に供給する。
【０１２５】
また、ＬＡＮＩ／Ｆ３０３は、セレクタ３０４を通じて供給されるメディアドライブ３０１からの音楽データの供給を受けて、これをＬＡＮ５００に送出する形式の音楽データに変換し、これをＬＡＮ５００に送出することもできるものである。
【０１２６】
セレクタ３０４は、制御部３１０の制御に応じて、音楽データの供給元と出力先とを切り換えるものである。具体的に、セレクタ３０４は、メディアドライブ３０１とＬＡＮＩ／Ｆ３０３のいずれからの音楽データを再生処理部３０５に供給するかを切り換える。
【０１２７】
また、セレクタ３０４は、メディアドライブ３０１からの音楽データを、ＬＡＮＩ／Ｆ３０３、ＬＡＮ接続端子３０２を通じて、ＬＡＮ５００に送出するように切り換えることもできるものである。
【０１２８】
セレクタ３０４の後段に設けられた再生処理部３０５は、これに供給された音楽コンテンツがデータ圧縮されているものである場合には、これを圧縮解凍し、アナログ信号に変換して、これを増幅処理してスピーカ３０６Ｌ、３０６Ｒに供給する。
【０１２９】
これにより、メディアドライブ３０１からの音声コンテンツに、あるいは、ＬＡＮＩ／Ｆ３０３からの音声コンテンツに応じた音声が、スピーカ３０６Ｌ、３０６Ｒから放音され、ユーザーがこれを聴取することができるようにされる。
【０１３０】
［音楽再生装置３００の基本動作］
次に、図３に示した構成を有する音楽再生外３００の基本動作について説明する。まず、操作部３２０を通じて、メディアドライブ３０１に装填された記録媒体に記録されている音楽コンテンツを再生する場合について説明する。
【０１３１】
この場合、制御部３１０は、メディアドライブ３０１を制御し、これに装填されている記録媒体から再生が指示された音楽コンテンツを読み出し、セレクタ３０４に供給するようにする。
【０１３２】
この場合、セレクタ３０４は、制御部３１０の制御により、メディアドライブ３０１から音楽コンテンツを再生処理部３０５に供給するように切り換えられる。これにより、メディアドライブ３０１からの音楽コンテンツが、セレクタ３０４を通じて再生処理部３０５に供給される。
【０１３３】
再生処理部３０５は、これに供給された音楽コンテンツからスピーカ３０６Ｌ、３０６Ｒに供給するアナログ音声信号を形成し、これをスピーカ３０６Ｌ、３０６Ｒに供給する。
【０１３４】
これにより、スピーカ３０６Ｌ、３０６Ｒからは、メディアドライバ３０１の記録媒体から読み出された音楽コンテンツに応じた音声が放音される。
【０１３５】
次に、操作部３２０を通じて、ＬＡＮ５００を通じて提供される音楽コンテンツを再生する場合について説明する。
【０１３６】
この場合、制御部３１０は、ＬＡＮＩ／Ｆ３０３を制御し、ＬＡＮ接続端子３０２を通じて受信した自機宛のデータについて、制御データと音楽コンテンツとを分離して、制御データは制御部３１０に、音楽コンテンツはセレクタ３０３に供給する。
【０１３７】
この場合、セレクタ３０４は、制御部３１０の制御により、ＬＡＮＩ／Ｆ３０３から音楽コンテンツを再生処理部３０５に供給するように切り換えられる。これにより、ＬＡＮＩ／Ｆ３０３からの自機宛の音楽コンテンツが、セレクタ３０４を通じて再生処理部３０５に供給される。
【０１３８】
再生処理部３０５は、これに供給された音楽コンテンツからスピーカ３０６Ｌ、３０６Ｒに供給するアナログ音声信号を形成し、これをスピーカ３０６Ｌ、３０６Ｒに供給する。
【０１３９】
これにより、スピーカ３０６Ｌ、３０６Ｒからは、ＬＡＮ５００を通じて自機に供給された音楽コンテンツに応じた音声が放音される。
【０１４０】
次に、操作部３２０を通じて、メディアドライブ３０１に装填された記録媒体に記録されている音楽コンテンツを、ＬＡＮ５００に送出する場合について説明する。
【０１４１】
この場合、制御部３１０は、メディアドライブ３０１を制御し、これに装填されている記録媒体から送出することが指示された音楽コンテンツを読み出し、セレクタ３０４に供給するようにする。
【０１４２】
制御部３１０は、メディアドライブ３０１から音楽コンテンツをＬＡＮＩ／Ｆ３０３に供給するようにセレクタ３０４を切り換える。これにより、メディアドライブ３０１からの音楽コンテンツが、セレクタ３０４を通じてＬＡＮＩ／Ｆ３０３に供給される。
【０１４３】
ＬＡＮＩ／Ｆ３０３は、セレクタ３０４から供給された音楽コンテンツに対して、送信先を示すデータや送信元を示すデータ等を付加して、送信用の音楽コンテンツを形成し、これをＬＡＮ接続端子３０２を通じて接続されているＬＡＮ５００に送出する。
【０１４４】
これにより、メディアドライバ３０１に装填されている音楽コンテンツが、ＬＡＮ５００に接続されている装置のうち、ユーザーによって指示された相手先に送信される。
【０１４５】
また、この実施の形態の音楽再生装置３００は、ＬＡＮ５００を通じて伝送されてくる自機宛の要求を、ＬＡＮ接続端子３０２、ＬＡＮＩ／Ｆ３０３を通じて受信した時には、当該要求を制御部３１０に供給する。
【０１４６】
制御部３１０は、ＬＡＮＩ／Ｆ３０３からの要求を解析し、これに応じた応答を形成して、ＬＡＮＩ／Ｆ３０３、ＬＡＮ接続端子３０４を通じてＬＡＮ５００に送出し、要求元の機器に対して、当該要求に対する応答を送信することもできるようにしている。
【０１４７】
このように、音楽再生装置３００は、自機に装填された記録媒体に記録されている音楽コンテンツを再生できるだけではない。ＬＡＮ５００を通じて提供される音楽コンテンツをストリーミング再生したり、ＬＡＮ５００を通じて送信されてくる要求に答えたりすることもできるものである。
【０１４８】
［パーソナルコンピュータ４００の構成例］
次に、第１の実施の形態のホームネットワークシステムに接続されるパーソナルコンピュータの構成例について説明する。図４は、第１の実施の形態のホームネットワークシステムに接続されるパーソナルコンピュータ４００の構成例を説明するためのブロック図である。
【０１４９】
図４に示すように、この実施の形態のパーソナルコンピュータ４００は、データの入出力端として通信回線への接続端子４０１と、ＬＡＮ接続端子４０３とが設けられている。通信回線への接続端子４０１には、広域通信用の通信インターフェース（以下、通信Ｉ／Ｆという。）４０２が接続され、ＬＡＮ接続端子４０３には、ＬＡＮインターフェース（以下、ＬＡＮＩ／Ｆという。）４０４が接続されている。
【０１５０】
これら接続端子４０１及び通信Ｉ／Ｆ４０２、ＬＡＮ接続端子４０３及びＬＡＮＩ／Ｆ４０４により、データの入出力系が構成されている。
【０１５１】
また、パーソナルコンピュータ４００は、大容量のハードディスクを備えたハードディスクドライブ（以下、ＨＤＤと略称する。）４０５を備えている。
【０１５２】
さらに、情報の再生系として、映像再生部４０６、表示部４０７を備えると共に、音声再生部４０８、スピーカ４０９を備えている。表示部４０７は、例えば、ＬＣＤ（Liquid Crystal Display）、ＰＤＰ（Plasma Display Panel）、ＣＲＴ（Cathode-Ray Tube）ディスプレイなどの表示素子を備えたものである。
【０１５３】
また、図４に示すように、制御部４１０が、パーソナルコンピュータ４００の各部に対して接続されている。制御部４１０は、パーソナルコンピュータ４００の各部を制御するものであり、ＣＰＵ４１１、ＲＯＭ４１２、ＲＡＭ４１３、ＥＥＰＲＯＭ４１４が、ＣＰＵバス４１５を通じて接続されて形成されたマイクロコンピュータである。
【０１５４】
ＣＰＵ４１１は、後述もするＲＯＭ４１２に記憶保持されているプログラムを実行し、各部に供給する制御信号を生成して各部に供給したり、各部から供給されるデータを処理したりするものである。
【０１５５】
ＲＯＭ４１２は、上述したように、ＣＰＵ４１１が実行する各種のプログラムや処理に必要になる種々のデータが記録されたものである。ＲＡＭ４１３は、種々の処理において途中結果を一時記憶するなど、主に作業領域として用いられるものである。
【０１５６】
ＥＥＰＲＯＭ４１４は、いわゆる不揮発性メモリであり、このパーソナルコンピュータ４００の電源が落とされても保持しておくべきデータ、例えば、種々の設定パラメータや機能強化のために新たに提供されたプログラム、その他の種々のデータが記憶保持される。
【０１５７】
また、制御部４１０には、操作部４２０が接続されている。操作部４２０は、数字キー、アルファベットキー、種々のファンクションキーなどからなるいわゆるキーボードや、いわゆるマウスなどと呼ばれるポインティングデバイスなどからなるものである。
【０１５８】
操作部４２０は、ユーザーから種々の操作入力を受け付けて、これを電気信号に変換し、制御部４１０に通知することができるものである。これにより、制御部４１０は、ユーザーの操作入力に応じて各部を制御し、パーソナルコンピュータ４００がユーザーの指示に応じた処理を行うことができるようにしている。
【０１５９】
また、制御部４１０には、外部インターフェース（以下、外部Ｉ／Ｆという。）４３１が接続されている。外部Ｉ／Ｆ４３１には、入出力端子４３２が接続されている。入出力端子４３２には、例えば、デジタルカメラや音楽記録再生装置などの種々の外部機器を接続することができる。
【０１６０】
これにより、パーソナルコンピュータ４００は、入出力端子４３２に接続された外部機器との間で、外部Ｉ／Ｆ４３１を通じ、種々のデータの送受を行うことができる。
【０１６１】
［パーソナルコンピュータ４００の基本動作］
次に、図４に示した構成を有するパーソナルコンピュータ４００の基本動作について説明する。パーソナルコンピュータ４００は、通常のパーソナルコンピュータと同様のものである。
【０１６２】
したがって、通信回線への接続端子４０１及び通信Ｉ／Ｆ４０２を通じてインターネットにアクセスし、電子メールの送受を行うことができる。また、同様にして目的とするＷｅｂページにアクセスし、必要な情報を閲覧したり、ダウンロードしてきてＨＤＤ４０５のハードディスクに格納したりすることができる。
【０１６３】
また、ＬＡＮ接続端子４０３、ＬＡＮＩ／Ｆ４０４を通じて、ＬＡＮ５００に接続された種々の機器から種々のデータの提供を受けて、これを制御部４１０を通じてＨＤＤ４０５のハードディスクに記録することもできる。また、ＨＤＤ４０５のハードディスクに記憶保持している種々のコンテンツを、ＬＡＮＩ／Ｆ４０４、ＬＡＮ接続端子４０３を通じて目的とする電子機器に送信することもできる。
【０１６４】
同様に、入出力端子４３２に接続された外部機器との間で、外部Ｉ／Ｆ４３１を通じて種々のデータの送受を行うこともできる。すなわち、自機が保持するデータを外部Ｉ／Ｆ４３１、入出力端子４３２を通じて外部機器に提供したり、入出力端子４３２、外部Ｉ／Ｆを通じて受信したデータをＨＤＤ４０５のハードディスクに記録したりすることができる。
【０１６５】
また、制御部４１０において実行するワードプロセッサプログラムや表計算プログラムなどの種々のアプリケーションプログラムにしたがって、操作部４２０を通じて入力されたデータを処理してＨＤＤ４０５のハードディスクに記録することができる。
【０１６６】
なお、データの入力時においては、入力した情報を制御部４１０、映像再生部４０６を通じて表示部４０７の表示画面に表示して確認しながら処理を進めることができる。すなわち、種々の処理の実行時においては、処理の状況を、映像再生部４０６を通じて表示部４０７の表示画面に表示して確認することができる。
【０１６７】
また、ＨＤＤ４０５のハードディスクに記録した音楽コンテンツを、制御部４１０を通じて読み出して音声再生部４０８に供給し、再生用の音声信号を形成してこれをスピーカ４０９に供給することにより、音楽コンテンツを再生することもできる。
【０１６８】
このように、パーソナルコンピュータ４００は、種々のデータの提供を受けてこれを処理し、ＨＤＤ４０５のハードディスクに記録したり、ＨＤＤ４０５のハードディスクに保持されているデータを処理して出力したりすることができるものである。
【０１６９】
この第１の実施の形態のホームネットワークシステムに接続されるパーソナルコンピュータ４００は、ＨＤＤ４０５のハードディスクに多数の音楽コンテンツを記憶保持している。
【０１７０】
そして、ＬＡＮ接続端子４０３、ＬＡＮＩ／Ｆ４０４を通じて音楽コンテンツの提供要求を受信した場合、制御部４１０は、ＨＤＤ４０５から要求された音楽コンテンツを読み出し、これをＬＡＮＩ／Ｆ４０３を通じて要求先に提供する。
【０１７１】
このように、この第１の実施の形態において、パーソナルコンピュータ４００は、音楽コンテンツを保持し、要求に応じてこれを提供するコンテンツ保持装置としても機能するものである。
【０１７２】
［ホームネットワークシステムの動作］
次に、音楽再生装置３００がパーソナルコンピュータ４００からＬＡＮ５００を通じて提供を受けて再生中の音楽コンテンツを、携帯電話端末１００がダウンロードする場合の動作について説明する。図５は、当該場合の各機器間の動作を説明するためのシーケンス図である。
【０１７３】
ここでは、音楽再生装置３００がパーソナルコンピュータ４００からＬＡＮ５００を通じて提供を受けている音楽コンテンツを再生中であるとする。そして、音楽再生装置３００により再生中の音楽コンテンツを携帯電話端末１００にダウンロードし、外出先などにおいても携帯電話端末１００を通じて当該音楽コンテンツを聴取できるようにすることを考える。
【０１７４】
この場合、携帯電話端末１００のユーザーは、携帯電話端末１００のキー操作部１１４に対して所定の操作を行うことにより、再生中コンテンツのダウンロードを行う処理を開始させるようにする。
【０１７５】
当該操作入力に応じて、携帯電話端末１００のＣＰＵ１３０は、音楽再生中の機器を照会（問合せ）して確認するために機器照会要求（再生機器照会要求）を形成し、これをＬＡＮ５００に接続されている全機器に対して送信する（ステップＳ１）。
【０１７６】
当該機器照会要求は、ＣＰＵ１３０で形成され、ＬＡＮモジュール１１８、ＬＡＮ用送受信アンテナ１１９、無線ルーター２００を通じて、ＬＡＮ５００に送出され、ＬＡＮ５００上の各機器（音楽再生装置３００、パーソナルコンピュータ４００）に送信される。
【０１７７】
第１の実施の形態のホームネットワークシステムにおいては、音楽再生装置３００がパーソナルコンピュータ４００から音楽コンテンツの提供を受けて再生している。このため、音楽再生装置３００の制御部３１０は、自機が音楽コンテンツを再生中の機器であることを示す機器照会応答を形成し、これをＬＡＮＩ／Ｆ３０３、ＬＡＮ接続端子３０２を通じて要求元の携帯電話端末１００に送信する（ステップＳ２）。
【０１７８】
当該機器照会応答は、ＬＡＮ５００、無線ルーター２００を通じて携帯電話端末１００に送信され、携帯電話端末１００に受信される。これにより、携帯電話端末１００は、音楽コンテンツを再生中のコンテンツ再生機器は、音楽再生装置３００であることを把握することができる。
【０１７９】
このように、携帯電話端末１００は、音楽コンテンツの再生中の機器は、音楽再生装置３００であることを、自機からの機器照会要求に対する音楽再生装置３００からの再生機器応答によって把握することができる。
【０１８０】
換言すれば、携帯電話端末１００は、ユーザーによって音楽コンテンツの再生中の機器が音楽再生装置３００であることを設定されるなどのことなく、音楽再生中の機器からの機器照会応答によって把握することができる。
【０１８１】
次に、携帯電話端末１００は、再生中の音楽コンテンツの所在照会要求を形成し、これを音楽コンテンツ再生中の機器である音楽再生装置３００に対して送信する（ステップＳ３）。具体的に、当該所在照会要求は、携帯電話端末１００のＬＡＮモジュール１１８、ＬＡＮ用送受信アンテナ１１９、無線ルーター２００を通じてＬＡＮ５００に送出され、音楽再生装置３００に送信される。
【０１８２】
音楽再生装置３００は、ＬＡＮ接続端子３０２、ＬＡＮＩ／Ｆ３０３を通じて、自機宛の音楽コンテンツの所在照会要求を受信すると、これを制御部３１０に通知する。音楽再生装置３００は、再生中の音楽コンテンツの提供を実際に受けており、制御部３１０は、当該再生中の音楽コンテンツは、どこに存在するか（当該音楽コンテンツの所在）を把握している。
【０１８３】
具体的に、音楽再生装置３００の制御部３１０は、再生中の音楽コンテンツのタイトル、アーティスト名、ジャンルなどのコンテンツ自体についての情報を把握している。また、制御部３１０は、再生中の音楽コンテンツが、どの装置の、どのフォルダに、どのようなファイル名で格納されているのかも把握している。
【０１８４】
このため、所在照会要求を受信した音楽再生装置３００の制御部３１０は、再生中の音楽コンテンツについての所在照会応答を形成し、これをＬＡＮＩ／Ｆ３０３、ＬＡＮ接続端子３０２を通じて要求元の携帯電話端末１００に送信する（ステップＳ４）。
【０１８５】
ここで形成される所在照会応答は、再生中の音楽コンテンツは、少なくとも、どの装置の、どのフォルダに、どのようなファイル名で格納されているものであるかを通知することができるものである。
【０１８６】
当該所在照会応答は、ＬＡＮ５００、無線ルーター２００を通じて携帯電話端末１００に送信され、携帯電話端末１００に受信される。この第１の実施の形態においては、上述もしたように、音楽再生装置３００は、パーソナルコンピュータ４００からの音楽コンテンツを再生している。
【０１８７】
したがって、携帯電話端末１００は、音楽再生装置３００から所在照会応答に基づいて、再生中の音楽コンテンツは、パーソナルコンピュータ４００が保持するものであり、何と言うフォルダに、何と言うファイル名で格納されているかを把握することができる。
【０１８８】
携帯電話端末１００の制御部１１０は、所在照会応答に基づいて、音楽再生装置３００が再生中の音楽コンテンツの提供をパーソナルコンピュータ４００に対して要求する提供要求を形成し、これをパーソナルコンピュータ４００に送信する（ステップＳ５）。
【０１８９】
すなわち、ステップＳ５においては、携帯電話端末１００の制御部１１０が形成した提供要求を、ＬＡＮモジュール１１８、ＬＡＮ用送受信アンテナ１１９を通じてＬＡＮ５００に接続されているパーソナルコンピュータ４００に対して送信する。
【０１９０】
パーソナルコンピュータ４００は、ＬＡＮ接続端子４０３、ＬＡＮＩ／Ｆ４０４を通じて、自機宛の音楽コンテンツの提供要求を受信すると、これを制御部３１０に通知する。パーソナルコンピュータ４００の制御部４１０は、受信した提供要求に応じて、指示された音楽コンテンツをＨＤＤ４０５のハードディスクから読み出し、要求元の携帯電話端末１００に送信する（ステップＳ６）。
【０１９１】
すなわち、制御部４１０によってＨＤＤ４０５のハードディスクから読み出された音楽コンテンツは、送信形式のデータとされた後、ＬＡＮＩ／Ｆ４０４、ＬＡＮ接続端子４０３を通じて、ＬＡＮ５００に送出され、携帯電話端末１００に送信される。
【０１９２】
これにより、携帯電話端末１００は、音楽再生装置３００が再生中の音楽コンテンツを、これを保持するパーソナルコンピュータ４００からダウンロードすることができるようにされる。
【０１９３】
この場合、携帯電話端末１００のユーザーは、再生中の音楽コンテンツがどの機器で再生されているか、また、実際にどの機器において保持されているのかを一切把握している必要は無い。携帯電話端末１００は、ＬＡＮ５００に接続された機器と通信を行うことにより、再生中の音楽コンテンツの所在を迅速かつ的確に把握し、目的とする音楽コンテンツをダウンロードすることができる。
【０１９４】
［機器間で送受される要求や応答のレイアウト例］
図６、図７は、図５を用いて説明した第１の実施の形態のホームネットワークシステムにおいて、各機器間で送受される要求や応答のレイアウト例を説明するための図である。
【０１９５】
図６（Ａ）は、図５に示したステップＳ１において、携帯電話端末１００からＬＡＮ５００に接続された各機器に送信される機器照会要求のレイアウト例である。図６（Ａ）に示すように、第１の実施の形態において、機器照会要求は、送信元ＩＤとして携帯電話端末１００の機器ＩＤがセットされ、送信先ＩＤとして全接続機器が送信対象であることを示す情報がセットされる。
【０１９６】
また、図６（Ａ）に示すように、機器照会要求は、送信先から送信元に通知する内容として、音楽再生中の機器照会要求であることを示す情報がセットされる。このような機器照会要求によって、ＬＡＮ５００上の各機器に対して、音楽コンテンツ再生装置か否かの問合せが行うようにされる。
【０１９７】
図６（Ｂ）は、図５に示したステップＳ２において、音楽再生中の音楽再生装置３００から機器照会要求元の携帯電話端末１００に送信される機器照会応答のレイアウト例である。図６（Ｂ）に示すように、第１の実施の形態において、機器照会応答は、送信元ＩＤとして音楽再生装置３００の機器ＩＤがセットされ、送信先ＩＤとして携帯電話端末１００の機器ＩＤがセットされる。
【０１９８】
また、図６（Ｂ）に示すように、機器照会応答は、送信先から送信元に通知する内容として、送信元の機器である音楽再生装置３００が音楽再生中の機器であることを示す情報（機器照会応答）がセットされる。このような機器照会応答によって、音楽コンテンツ再生中の機器から要求元の機器に対して再生中の機器であることが通知される。
【０１９９】
図６（Ｃ）は、図５に示したステップＳ３において、携帯電話端末１００から音楽再生中の音楽再生装置３００に送信される再生している音楽コンテンツの所在照会要求のレイアウト例である。図６（Ｃ）に示すように、第１の実施の形態において、所在照会要求は、送信元ＩＤとして携帯電話端末１００の機器ＩＤがセットされ、送信先ＩＤとして音楽コンテンツ再生中の音楽再生装置の機器ＩＤがセットされる。
【０２００】
また、図６（Ｃ）に示すように、所在照会要求は、送信先から送信元に通知する内容として、再生中の音楽コンテンツの所在照会であることを示す情報がセットされる。このような所在照会要求によって、音楽コンテンツを再生中の音楽再生装置３００に対して、当該再生中の音楽コンテンツの所在の問合せが行われる。
【０２０１】
図７（Ａ）は、図５に示したステップＳ４において、音楽再生中の音楽再生装置３００から再生中の音楽コンテンツの所在照会要求元の携帯電話端末１００に送信される所在照会応答のレイアウト例である。図７（Ａ）に示すように、第１の実施の形態において、所在照会応答は、送信元ＩＤとして音楽再生装置３００の機器ＩＤがセットされ、送信先ＩＤとして携帯電話端末１００の機器ＩＤがセットされる。
【０２０２】
また、図７（Ａ）に示すように、所在照会応答は、音楽コンテンツの所在情報として、当該音楽コンテンツを保持している機器の機器名称、ＭＡＣアドレス、ＩＰアドレス、ディレクトリ名（フォルダ名）、ファイル名などの情報を有している。このような所在照会応答により、携帯電話端末１００は、再生中の音楽コンテンツがどこに存在しているのかを把握することができる。
【０２０３】
なお、ＭＡＣ（Media Access Control）アドレスは、ＬＡＮに接続される機器を識別するためのものである。また、ＩＰ（Internet Protocol）アドレスは、インターネットに接続されたコンピュータの住所に当たる情報である。これら２つの情報により、ＬＡＮ５００に接続された機器のそれぞれを識別することができるようにされる。
【０２０４】
図７（Ｂ）は、図５に示したステップＳ５において、携帯電話端末１００から再生中の音楽コンテンツを保持するパーソナルコンピュータ４００に送信される音楽コンテンツの提供要求のレイアウト例である。図７（Ｂ）に示すように、第１の実施の形態において、当該データは、送信元ＩＤとして携帯電話端末１００の機器ＩＤがセットされ、送信先ＩＤとしてパーソナルコンピュータ４００の機器ＩＤがセットされる。
【０２０５】
そして、図７（Ｂ）に示すように、当該コンテンツの提供要求は、送信先から送信元に通知する内容として、音楽コンテンツの提供要求であることを示す情報がセットされる。また、当該音楽コンテンツの格納先を示す情報として、ディレクトリ名、ファイル名に、ステップＳ４で受信した所在照会応答により明らかになった該当情報（ディレクトリ名、ファイル名）がセットされる。このようなコンテンツの提供要求により、再生中の音楽コンテンツの提供が要求される。
【０２０６】
図７（Ｃ）は、図５に示したステップＳ６において、再生中の音楽コンテンツを保持するパーソナルコンピュータ４００から、要求元の携帯電話端末１００に送信される音楽コンテンツのレイアウト例である。図７（Ｃ）に示すように、第１の実施の形態において、当該データは、送信元ＩＤとしてパーソナルコンピュータ４００の機器ＩＤがセットされ、送信先ＩＤとして携帯電話端末１００の機器ＩＤがセットされる。
【０２０７】
そして、図７（Ｃ）に示すように、当該データは、メインデータ（内容）として、要求に応じた音楽コンテンツ（オーディオデータ）が格納されて伝送するようにされている。これにより、携帯電話端末１００が、音楽再生装置３００により再生されている音楽コンテンツを、これを保持するパーソナルコンピュータ４００が提供を受けて利用することができるようにされる。
【０２０８】
なお、音楽コンテンツのデータ量は多いので、通常、所定のデータ量単位にパケット化されて伝送されるが、図７（Ｃ）に示したフォーマットにしたがって、順次に送信するようにされる。この場合、最後のパケットには、当該パケットが最後であることを示す情報が付加するようにされる。
【０２０９】
このように、図５に示した各ステップにおいて、図６、図７に示した要求や応答を送受することによって、携帯電話端末１００は、音楽コンテンツを再生している機器、再生されている音楽コンテンツの所在を正確に把握することができる。
【０２１０】
したがって、携帯電話端末１００のユーザーは、再生中の音楽コンテンツが、どの機器で再生され、そのコンテンツがどこに存在しているかなど一切知らなくても、再生中の音楽コンテンツを携帯電話端末１００にダウンロードすることができる。
【０２１１】
［携帯電話端末１００の動作］
次に、この第１の実施の形態のホームネットワークシステムの携帯電話端末１００の動作について詳細に説明する。図８は、携帯電話端末１００の動作を説明するためのフローチャートである。
【０２１２】
図８に示す処理は、携帯電話端末１００の主にＣＰＵ１３０によって実行される処理である。この処理は、携帯電話端末１００のユーザーが、携帯電話端末１００のキー操作部１１４に対して所定の操作を行うことにより、ＬＡＮ５００上の機器が再生中コンテンツのダウンロードを行う処理を開始させるようにすることによって実行される。
【０２１３】
具体的には、キー操作部１１４のメニューキーを押下操作することにより、携帯電話端末１００において実行可能な処理の一覧メニューを表示し、当該メニューから再生中音楽のダウンロード処理を選択することにより実行される。
【０２１４】
まず、ＣＰＵ１３０は、ＲＯＭ１０９から必要な情報を読み出して、再生機器照会の確認画面を形成し、これを表示制御部１２２によって表示部１１３に表示し、再生機器照会を行うか否かの確認入力を、キー操作部１１４を通じて受け付ける（ステップＳ１０１）。
【０２１５】
ＣＰＵ１３０は、ステップＳ１０１において再生機器の照会を行うことが指示されたか否かを判断する（ステップＳ１０２）。ステップＳ１０２の判断処理において、再生機器の照会を行うことが指示されていないと判断したときには、この図８に示す処理を終了する。
【０２１６】
ステップＳ１０２の判断処理において、再生機器の照会を行うことが指示されたと判断すると、ＣＰＵ１３０は、機器照会要求を形成し、これをＬＡＮモジュール１１８、ＬＡＮ用送受信アンテナ１１９を通じてＬＡＮ５００に送出する（ステップＳ１０３）。
【０２１７】
このステップＳ１０３においてＬＡＮ５００に送出される機器照会要求は、図６（Ａ）を用いて説明したレイアウトのものである。
【０２１８】
ＣＰＵ１３０は、機器照会要求を送出すると、照会処理中であることを示す画面表示を形成し、これを表示制御部１１２を通じて表示部１１３の表示画面に表示する（ステップＳ１０４）。
【０２１９】
そして、ＣＰＵ１３０は、ＬＡＮ用送受信アンテナ１１９及びＬＡＮモジュール１１８を通じて、機器照会応答を受信するようにし（ステップＳ１０５）、機器照会応答を受信したか否かを判断する（ステップＳ１０６）。なお、ステップＳ１０５において受信される機器照会応答は、図６（Ｂ）を用いて説明したレイアウトのものである。
【０２２０】
ステップＳ１０６の判断処理において、まだ、機器照会応答を受信していないと判断したときには、ステップＳ１０５からの処理を繰り返す。ステップＳ１０６の判断処理において、機器照会応答を受信したと判断したときには、以下の処理を行う（ステップＳ１０７）。
【０２２１】
ステップＳ１０７において、ＣＰＵ１３０は、再生中の音楽コンテンツの所在照会の確認画面を形成して、表示制御部１２２を通じて表示部１１３に表示し、所在照会を行うか否かの確認入力を、キー操作部１１４を通じて受け付ける。
【０２２２】
具体的に、ステップＳ１０７においては、細かく分けると以下の２つの処理（確認画面形成処理と確認画面表示及び確認入力の受付処理）を行う。
【０２２３】
第１に、ＣＰＵ１３０は、ＲＯＭ１０９から読み出した必要な情報と、ステップＳ１０５において受信した機器照会応答とから、再生機器の通知を行うと共に、再生中の音楽コンテンツの所在照会を実行するか否かの確認入力を受け付ける確認画面を形成する。
【０２２４】
第２に、ＣＰＵ１３０は、形成した当該確認画面を、表示制御部１２２を通じて表示部１１３に表示し、再生コンテンツの所在照会を行うか否かの確認入力を、キー操作部１１４を通じて受け付ける。
【０２２５】
ＣＰＵ１３０は、ステップＳ１０７において、再生中の音楽コンテンツの所在照会を行うことが指示されたか否かを判断する（ステップＳ１０８）。ステップＳ１０８の判断処理において、再生中の音楽コンテンツの所在照会を行うことが指示されていないと判断したときには、この図８に示す処理を終了する。
【０２２６】
ステップＳ１０８の判断処理において、再生中の音楽コンテンツの所在照会を行うことが指示されたと判断したときには、ＣＰＵ１３０は、所在照会要求を形成し、これをＬＡＮ５００に送出する（ステップＳ１０９）。具体的には、ＬＡＮモジュール１１８、ＬＡＮ用送受信アンテナ１１９を通じて、ＬＡＮ５００に送出する。
【０２２７】
このステップＳ１０９において送出される所在照会要求は、図６（Ｃ）を用いて説明したレイアウトのものである。
【０２２８】
ＣＰＵ１３０は、再生中の音楽コンテンツの所在照会要求を送出すると、照会処理中であることを示す画面表示を形成し、これを表示制御部１１２を通じて表示部１１３の表示画面に表示する（ステップＳ１１０）。
【０２２９】
そして、ＣＰＵ１３０は、ＬＡＮ用送受信アンテナ１１９及びＬＡＮモジュール１１８を通じて、所在照会応答を受信するようにし（ステップＳ１１１）、所在照会応答を受信したか否かを判断する（ステップＳ１１２）。なお、ステップＳ１１１において受信される所在照会応答は、図７（Ａ）を用いて説明したレイアウトのものである。
【０２３０】
ステップＳ１１２の判断処理において、まだ、所在照会応答を受信していないと判断したときには、ステップＳ１１１からの処理を繰り返す。ステップＳ１１２の判断処理において、所在照会応答を受信したと判断したときには、以下の処理を行う（ステップＳ１１３）。
【０２３１】
ステップＳ１１３において、ＣＰＵ１３０は、再生中の音楽コンテンツのダウンロードの確認画面を形成して、表示制御部１２２を通じて表示部１１３に表示し、ダウンロードを行うか否かの確認入力を、キー操作部１１４を通じて受け付ける。
【０２３２】
具体的に、ステップＳ１１３においては、細かく分けると以下の２つの処理（確認画面形成処理と確認画面表示及び確認入力の受付処理）を行う。
【０２３３】
第１に、ＣＰＵ１３０は、ＲＯＭ１０９から読み出した必要な情報と、ステップＳ１１１において受信した所在照会応答とから、確認画面を形成する。この確認画面は、再生中の音楽コンテンツの所在通知を行う共に、再生中の音楽コンテンツのダウンロードを実行するか否かの確認入力を受け付けるためのものである。
【０２３４】
第２に、ＣＰＵ１３０は、当該確認画面を、表示制御部１２２を通じて表示部１１３に表示し、再生中の音楽コンテンツのダウンロードを行うか否かの確認入力を、キー操作部１１４を通じて受け付ける。
【０２３５】
ＣＰＵ１３０は、ステップＳ１１３において、再生中の音楽コンテンツのダウンロードを行うことが指示されたか否かを判断する（ステップＳ１１４）。ステップＳ１１４の判断処理において、再生中の音楽コンテンツのダウンロードを行うことが指示されていないと判断したときには、この図８に示す処理を終了する。
【０２３６】
ステップＳ１１４の判断処理において、再生中の音楽コンテンツのダウンロードを行うことが指示されたと判断したときには、ＣＰＵ１３０は、再生音楽コンテンツの提供要求（ダウンロード要求）を形成し、これをＬＡＮ５００に送出する（ステップＳ１１５）。具体的には、再生中の音楽コンテンツの提供要求を、ＬＡＮモジュール１１８、ＬＡＮ用送受信アンテナ１１９を通じて、ＬＡＮ５００に送出する。
【０２３７】
このステップＳ１１５において送出されるダウンロード要求は、図７（Ｂ）を用いて説明したレイアウトのものである。そして、ＣＰＵ１３０は、再生中の音楽コンテンツのダウンロード要求を送出すると、音楽コンテンツのダウンロード中であることを示す画面表示を形成し、これを表示制御部１１２を通じて表示部１１３の表示画面に表示する（ステップＳ１１６）。
【０２３８】
そして、ＣＰＵ１３０は、ＬＡＮ用送受信アンテナ１１９及びＬＡＮモジュール１１８を通じて、要求した再生中の音楽コンテンツを受信するようにし（ステップＳ１１７）、当該音楽コンテンツの全部を受信したか否かを判断する（ステップＳ１１８）。なお、ステップＳ１１１において受信される音楽コンテンツは、図７（Ｃ）を用いて説明したレイアウトのものである。
【０２３９】
ステップＳ１１８の判断処理において、まだ、音楽コンテンツの全部を受信していないと判断したときには、ステップＳ１１７からの処理を繰り返す。ステップＳ１１８の判断処理において、目的とする音楽コンテンツの全部を受信したと判断したときには、この図８の処理を終了する。
【０２４０】
図８のフローチャートからも分かるように、この第１の実施の形態の携帯電話端末１００においては、まず、ＬＡＮ５００に接続されている機器であって、音楽コンテンツ再生中の機器を特定する。そして、特定した音楽コンテンツ再生中の機器に対して、再生中の音楽コンテンツの所在照会を行い、当該音楽の所在を特定する。そして、特定した所在元の機器に対して音楽コンテンツの提供を要求し、ダウンロードを行う。
【０２４１】
これにより、携帯電話端末１００のユーザーは、再生中の音楽コンテンツの所在を意識することなく、再生中の音楽コンテンツをダウンロードすることができるようにされる。
【０２４２】
［音楽再生装置３００の動作］
次に、この第１の実施の形態のホームネットワークシステムにおいて、音楽再生装置３００、パーソナルコンピュータ４００の動作について詳細に説明する。この第１の実施の形態において、音楽再生装置３００とパーソナルコンピュータ４００の処理は、基本的に同じである。このため、以下においては説明を簡単にするため、音楽再生装置３００の動作について説明する。
【０２４３】
図９は、音楽再生装置３００の動作を説明するためのフローチャートである。図９に示す処理は、音楽再生装置３００の制御部３１０において実行される処理である。この処理は、ＬＡＮ５００に接続された音楽再生装置３００に電源が投入されると実行される。
【０２４４】
そして、制御部３１０は、ＬＡＮＩ／Ｆ３０３を通じてＬＡＮ５００に接続された他の機器からの要求を受信する（ステップＳ２０１）。そして、他の機器からの応答を受信したか否かを判断し（ステップＳ２０２）、受信していないと判断したときには、ステップＳ２０１からの処理を繰り返す。
【０２４５】
ステップＳ２０２の判断処理において、他の機器からの要求を受信したと判断したときには、制御部３１０は、受信した要求は、機器照会機器要求か否かを判断する（ステップＳ２０３）。
【０２４６】
ステップＳ２０３の判断処理において、受信した要求が機器照会要求（図６（Ａ））であると判断したときには、制御部３１０は、自機において音楽コンテンツを再生中か否かを判断する（ステップＳ２０４）。
【０２４７】
ステップＳ２０４の判断処理において、自機において音楽コンテンツを再生中であると判断したときには、自機が音楽コンテンツを再生中であることを示す機器照会応答（図
６（Ｂ））を生成して、これを要求元の機器に送信する（ステップＳ２０５）。
【０２４８】
また、ステップＳ２０４の判断処理において、自機において音楽コンテンツを再生していないと判断したときには、応答する必要は無いので、ステップＳ２０１からの処理を繰り返す。
【０２４９】
また、ステップＳ２０３の判断処理において、受信した要求が機器照会要求（図６（Ａ））ではないと判断したときには、制御部３１０は、受信した要求は、自機宛の再生中の音楽コンテンツの所在照会要求（図６（Ｃ））か否かを判断する（ステップＳ２０６）。
【０２５０】
ステップＳ２０６の判断処理において、受信した要求が自機宛の音楽コンテンツの所在照会要求であると判断したときには、自機において再生中の音楽コンテンツについての所在照会応答（図７（Ａ））を形成し、これを要求元の機器に送信する（ステップＳ２０７）。この後、ステップＳ２０１からの処理を繰り返す。
【０２５１】
また、ステップＳ２０６の判断処理において、受信した要求が自機宛の音楽コンテンツの所在照会要求ではないと判断したときには、受信した要求は、自機宛の音楽コンテンツのダウンロード要求（提供要求）（図７（Ｂ））か否かを判断する（ステップＳ２０８）。
【０２５２】
ステップＳ２０８の判断処理において、受信した要求が自機宛の音楽コンテンツのダウンロード要求であると判断したときには、制御部３１０は、要求された音楽コンテンツを自機の記録媒体から抽出し、これを要求元の機器に送信する（ステップＳ２０９）。
【０２５３】
そして、制御部３１０は、要求された音楽コンテンツの全部の送信を完了したか否かを判断し（ステップＳ２１０）、完了していないと判断したときにはステップＳ２０９からの処理を繰り返し、当該音楽コンテンツの送信を続行する。
【０２５４】
ステップＳ２１０の判断処理において、要求された音楽コンテンツの全部を送信し終えたと判断したときには、制御部３１０は、ステップＳ２０１からの処理を繰り返す。
【０２５５】
ステップＳ２０８の判断処理において、受信した要求が自機宛の音楽コンテンツのダウンロード要求ではないと判断したときには、制御部３１０は、受信した要求に応じた他の処理を行うことになる。
【０２５６】
なお、ここでは、音楽再生装置３００の動作として図９を用いて説明したが、パーソナルコンピュータ４００も、図９に示した処理と同様の処理を行うことになる。
【０２５７】
そして、図９を用いて説明したように、音楽再生装置３００、パーソナルコンピュータ４００は、携帯電話端末１００からの要求に応じた情報を提供することにより、携帯電話端末１００が目的とする情報を得ることができるようにしている。
【０２５８】
［携帯電話端末１００の画面遷移］
次に、図８のフローチャートを用いて説明したように動作するこの実施の形態の携帯電話端末１００における画面表示の遷移の具体例について説明する。図１０は、この第１の実施の形態の携帯電話端末１００の画面遷移の例を説明するための図である。
【０２５９】
上述したように、ユーザーからの所定の操作入力を受け付け、図８に示した処理を実行すると、図８に示したステップＳ１０１において、携帯電話端末１００の表示部１１３の表示画面１１３Ｇには、図１０Ａに示す再生機器照会の確認画面が表示される。
【０２６０】
図１０Ａに示した再生機器照会の確認画面において、キー操作部１１４を通じて再生機器照会を中止する操作（表示されたキャンセルアイコンを選択する操作）を行うことにより、図８に示した処理は終了される。
【０２６１】
図１０Ａに示した再生機器照会の確認画面において、キー操作部１１４を通じて再生機器照会を行うようにする操作（表示されたＯＫアイコンを選択する操作）を行うことにより、機器照会要求が形成されて送信される。そして、図８に示したステップＳ１０４において、図１０Ｂに示す再生機器照会中画面が、携帯電話端末１００の表示部１１３の表示画面１１３Ｇに表示される。
【０２６２】
この後、携帯電話端末１００が機器照会応答を受信すると、図８に示したステップＳ１０７において、図１０Ｃに示す再生中の音楽コンテンツの所在照会の確認画面が、携帯電話端末１００の表示部１１３の表示画面１１３Ｇに表示される。
【０２６３】
図１０Ｃに示した音楽コンテンツの所在照会の確認画面において、キー操作部１１４を通じて所在照会を中止する操作（表示されたキャンセルアイコンを選択する操作）を行うことにより、図８に示した処理は終了される。
【０２６４】
図１０Ｃに示した音楽コンテンツの所在照会の確認画面において、キー操作部１１４を通じて所在照会を行うようにする操作（表示されたＯＫアイコンを選択する操作）を行うことにより、音楽コンテンツの所在照会要求が形成されて送信される。そして、図８に示したステップＳ１１０において、図１０Ｄに示す所在照会中画面が、携帯電話端末１００の表示部１１３の表示画面１１３Ｇに表示される。
【０２６５】
この後、携帯電話端末１００が所在照会応答を受信すると、図８に示したステップＳ１１３において、図１０Ｅに示す再生中の音楽コンテンツのダウンロード要求（提供要求）の確認画面が、携帯電話端末１００の表示部１１３の表示画面１１３Ｇに表示される。
【０２６６】
図１０Ｅに示した音楽コンテンツのダウンロード要求の確認画面において、キー操作部１１４を通じてダウンロードを中止する操作（表示されたキャンセルアイコンを選択する操作）を行うことにより、図８に示した処理は終了される。
【０２６７】
図１０Ｅに示した音楽コンテンツの所在照会の確認画面において、キー操作部１１４を通じてダウンロードを行うようにする操作（表示されたＯＫアイコンを選択する操作）を行うことにより、音楽コンテンツのダウンロード要求（提供要求）が形成されて送信される。そして、図８に示したステップＳ１１６において、図１０Ｆに示すダウンロード中画面が、携帯電話端末１００の表示部１１３の表示画面１１３Ｇに表示される。
【０２６８】
このように、携帯電話端末１００においては、再生機器照会や音楽コンテンツの所在照会や音楽コンテンツのダウンロード要求を行う場合、行うか否かを画面表示に基づいて判断することができる。
【０２６９】
そして、機器照会要求や音楽コンテンツの所在照会要求や音楽コンテンツのダウンロード要求（提供要求）を送出した後、目的とする応答を受信するまでの間においては、現在どのような処理が行われているのかをユーザーに明確に通知することができる。したがって、携帯電話端末１００のユーザーが不安になることも無い。
【０２７０】
なお、図８に示した処理においては、ステップＳ１０４、ステップＳ１１０、ステップＳ１１６の各処理中の表示を行った場合に、当該処理中表示が行われている場合においては、処理の途中での終了を行えないものとして説明した。
【０２７１】
しかし、図１０Ｂ、図１０Ｄ、図１０Ｅに示したように、各処理中の表示において、キャンセルアイコンを設け、これを選択された場合において、図８に示した処理を強制的に終了させるようにすることもできる。
【０２７２】
［変形例１］
上述した第１の実施の形態のホームネットワークシステムにおいては、ＬＡＮ５００に接続されている機器により再生されている音楽コンテンツだけを、携帯電話端末１００にダウンロードするようにした。しかし、これに限るものではない。
【０２７３】
１曲単位ではなく、再生中の音楽コンテンツを含むアルバム全体をダウンロードしたり、再生中の音楽コンテンツのアーティストの音楽コンテンツをまとめてダウンロードしたりすることもできる。
【０２７４】
図１１は、この第１の実施の形態の変形例１の場合の処理を説明するためのシーケンス図である。図１１に示したシーケンス図は、図５に示したシーケンス図と基本的に同じである。このため、図１１において、図５と同様に行われる処理部分には同じ参照符号を付し、その部分の説明については省略する。
【０２７５】
そして、この変形例１においては、図１１のステップＳ４Ａにおいて、音楽コンテンツを再生している音楽再生装置３００が、単に音楽コンテンツの所在のみを通知するのではなく、再生中の音楽コンテンツの詳細についても通知する。
【０２７６】
具体的には、図１１にも示したように、再生中の音楽コンテンツについての詳細情報として、アーティスト名、曲名、アルバム名、ジャンルなどの情報が通知される。また、所在情報として、当該音楽コンテンツを保持している機器の機器名称、ＭＡＣアドレス、ＩＰアドレス、ディレクトリ名、ファイル名についても通知される。
【０２７７】
これにより、携帯電話端末１００は、再生中の音楽コンテンツの所在だけでなく、再生中の音楽コンテンツの詳細についても知ることができる。
【０２７８】
携帯電話端末１００は、所在が明らかになった音楽コンテンツのダウンロード要求を、図１１のステップＳ５Ａにおいてする。この場合、再生中の音楽コンテンツだけをダウンロードするか、再生中の音楽コンテンツを含むアルバム全体をダウンロードするか、再生中の音楽コンテンツのアーティストの音楽コンテンツをまとめてダウンロードするかを選ぶことができるようにしている。
【０２７９】
図１１のステップＳ５Ａにおいては、携帯電話端末１００のユーザーが目的とする態様で音楽コンテンツのダウンロード要求を、再生中の音楽コンテンツを保持している機器（この第１の実施の形態の場合にはパーソナルコンピュータ４００）に送信する。
【０２８０】
これに応じて、図１１のステップＳ６Ａにおいては、再生中の音楽コンテンツを保持する機器から、ステップＳ５Ａのダウンロード要求に応じた態様で、要求された音楽コンテンツを要求元の機器に送信される。
【０２８１】
［変形例１の場合の携帯電話端末１００の動作］
次に、図１１を用いて概要を説明した第１の実施の形態の変形例１の場合の携帯電話端末１００の動作について、図１２〜図１４を用いて具体的に説明する。
【０２８２】
この変形例１の場合の携帯電話端末１００は、図８に示した処理のステップＳ１０１〜ステップＳ１１２までは、上述した第１の実施の形態の携帯電話端末１００と同様に動作する。しかし、この変形例１の場合の携帯電話端末１００は、図８に示した処理のステップＳ１１３以降の処理が異なったものとなる。
【０２８３】
そこで、ここでは説明を簡単にするため、図８に示した処理のステップＳ１１１以降の処理から、この変形例１の場合の携帯電話端末１００の動作について説明する。
【０２８４】
図１２は、この変形例１の場合の携帯電話端末１００の動作を説明するためのフローチャートである。この図１２に示すフローチャートの処理は、上述もしたように、図８に示したステップＳ１１１からの処理を示すものである。
【０２８５】
また、図１３は、図１２に示した処理において、携帯電話端末１００の表示部１１３の表示画面１１３Ｇに表示される表示画面の表示例を示す図である。また、図１４は、図１２に示した処理において、携帯電話端末１００からコンテンツ保持装置であるパーソナルコンピュータ４００に送信されるダウンロード要求（コンテンツの提供要求）のレイアウト例を示す図である。
【０２８６】
図８を用いて説明したように、ステップＳ１０１〜ステップＳ１１０までの処理が行われることにより、携帯電話端末１００から音楽再生中の音楽再生装置３００に対して、再生中の音楽コンテンツについての所在照会要求が送信される。
【０２８７】
この後、図１２にも示すように、携帯電話端末１００のＣＰＵ１３０は、ＬＡＮ用送受信アンテナ１１９及びＬＡＮモジュール１１８を通じて、所在照会応答を受信するようにし（ステップＳ１１１）、所在照会応答を受信したか否かを判断する（ステップＳ１１２）。なお、ステップＳ１１１において受信される所在照会応答は、図７（Ａ）を用いて説明したレイアウトのものである。
【０２８８】
ステップＳ１１２の判断処理において、まだ、所在照会応答を受信していないと判断したときには、ステップＳ１１１からの処理を繰り返す。ステップＳ１１２の判断処理において、所在照会応答を受信したと判断したときには、まず、ＣＰＵ１３０は、１曲ダウンロード画面を表示し、確認入力を受け付ける（ステップＳ１２１）。
【０２８９】
このステップＳ１２１の処理は、再生中の音楽コンテンツ１曲だけをダウンロードするか否かを、携帯電話端末１００のユーザーに選択させるようにするためのものである。このステップＳ１２１において表示される１曲ダウンロード画面は、図１３Ａに示すように、再生中の音楽コンテンツの曲名、アーティスト名、保存先を通知すると共に、当該音楽コンテンツだけをダウンロードするか否かの選択を促すものである。
【０２９０】
そして、ＣＰＵ１３０は、ステップＳ１２１において、再生中の音楽コンテンツ１曲だけのダウンロードを行うことの指示を受け付けたか否かを判断する（ステップＳ１２２）。このステップＳ１２２の処理は、図１３Ａに示した画面において、再生中の音楽コンテンツ１曲だけのダウンロードを行うことを指示する操作（ＯＫアイコンの選択操作）が行われたか否かを判断するものである。
【０２９１】
ステップＳ１２２の判断処理において、再生中の音楽コンテンツ１曲だけのダウンロードを行うことが指示されたと判断したときには、ＣＰＵ１３０は、１曲ダウンロード要求を形成し、これをＬＡＮ５００に送出する（ステップＳ１２３）。
【０２９２】
具体的には、再生中の音楽コンテンツだけのダウンロード要求をＬＡＮモジュール１１８、ＬＡＮ用送受信アンテナ１１９を通じて、ＬＡＮ５００に送出する。このステップＳ１２３で送出されるダウンロード要求は、図７（Ｂ）を用いて説明したレイアウトのものである。
【０２９３】
そして、ＣＰＵ１３０は、再生中の音楽コンテンツのダウンロード要求（提供要求）を送出すると、音楽コンテンツのダウンロード中であることを示す画面表示を形成し、これを表示制御部１１２を通じて表示部１１３の表示画面に表示する（ステップＳ１２４）。
【０２９４】
次に、ＣＰＵ１３０は、ＬＡＮ用送受信アンテナ１１９及びＬＡＮモジュール１１８を通じて、要求した再生中の音楽コンテンツを受信するようにし（ステップＳ１２５）、音楽コンテンツの全部を受信したか否かを判断する（ステップＳ１２６）。
【０２９５】
ステップＳ１２６の判断処理において、まだ、音楽コンテンツの全部を受信していないと判断したときには、ステップＳ１２４からの処理を繰り返す。ステップＳ１２６の判断処理において、目的とする音楽コンテンツの全部を受信したと判断したときには、この処理を終了する。
【０２９６】
一方、ステップＳ１２２の判断処理において、再生中の音楽コンテンツ１曲だけのダウンロードを行うことは指示されていないと判断したときには、ＣＰＵ１３０は、アルバムダウンロード画面を表示し、確認入力を受け付ける（ステップＳ１２７）。
【０２９７】
すなわち、ステップＳ１２２においては、ステップＳ１２１において１曲だけダウンロード画面のキャンセルアイコンが選択された場合には、再生中の音楽コンテンツ１曲だけのダウンロードは指示されていないと判断し、ステップＳ１２７の処理を行う。
【０２９８】
ステップＳ１２７の処理は、再生中の音楽コンテンツを含むアルバム全体をダウンロードするか否かを、携帯電話端末１００のユーザーに選択させるようにするためのものである。このステップＳ１２７において表示されるアルバムダウンロード画面は、図１３Ｂに示すように、再生中の音楽コンテンツの曲名を通知すると共に、当該音楽コンテンツを含むアルバム全体をダウンロードするか否かの選択を促すものである。
【０２９９】
なお、図１３Ｂにおいては、曲名だけを通知するようにしたが、アーティスト名や当該音楽コンテンツの格納先を通知することももちろん可能である。
【０３００】
ＣＰＵ１３０は、ステップＳ１２７において、再生中の音楽コンテンツを含むアルバム全体をダウンロードすることの指示を受け付けたか否かを判断する（ステップＳ１２８）。このステップＳ１２８の処理は、図１３Ｂに示した画面において、再生中の音楽コンテンツを含むアルバム全体をダウンロードすることの指示する操作（ＯＫアイコンの選択操作）が行われたか否かを判断するものである。
【０３０１】
ステップＳ１２８の判断処理において、再生中の音楽コンテンツを含むアルバム全体をダウンロードすることが指示されたと判断したときには、ＣＰＵ１３０は、アルバムダウンロード要求を形成し、これをＬＡＮ５００に送出する（ステップＳ１２９）。
【０３０２】
具体的には、再生中の音楽コンテンツを含むアルバム全体のダウンロード要求をＬＡＮモジュール１１８、ＬＡＮ用送受信アンテナ１１９を通じて、ＬＡＮ５００に送出する。このステップＳ１２９で送出されるダウンロード要求は、図１４（Ａ）に示すレイアウトのものである。
【０３０３】
図１４（Ａ）に示すように、ステップＳ１２９で送出される要求は、送信元ＩＤ、送信先ＩＤを有すると共に、再生中の音楽コンテンツを含むアルバム全曲の提供要求が、送信される内容とされたものである。なお、この例の場合、送信元ＩＤには携帯電話端末１００のＩＤが、また、送信先ＩＤにはパーソナルコンピュータ４００のＩＤが入力される。
【０３０４】
そして、ステップＳ１２９の処理の後、上述したステップＳ１２４からの処理が行われる。
【０３０５】
また、ステップＳ１２８の判断処理において、再生中の音楽コンテンツを含むアルバムのダウンロードを行うことは指示されていないと判断したときには、ＣＰＵ１３０は、アーティスト単位ダウンロード画面を表示し、確認入力を受け付ける（ステップＳ１３０）。
【０３０６】
すなわち、ステップＳ１２８においては、ステップＳ１２２においてアルバムダウンロード画面のキャンセルアイコンが選択された場合には、再生中の音楽コンテンツを含むアルバム全体のダウンロードは指示されていないと判断し、ステップＳ１３０の処理を行う。
【０３０７】
ステップＳ１３０の処理は、再生中の音楽コンテンツのアーティストの音楽コンテンツをまとめてダウンロードするか否かを、携帯電話端末１００のユーザーに選択させるようにするためのものである。
【０３０８】
ステップＳ１３０において表示されるアーティスト単位ダウンロード画面は、図１３Ｃに示すように、再生中の音楽コンテンツのアーティスト名を通知すると共に、当該アーティストの音楽コンテンツをまとめてダウンロードするか否かの選択を促すものである。
【０３０９】
なお、図１３Ｃにおいては、アーティスト名だけを通知するようにしたが、曲名や当該音楽コンテンツの格納先を通知することももちろん可能である。
【０３１０】
ＣＰＵ１３０は、ステップＳ１３０において、再生中の音楽コンテンツのアーティストの音楽コンテンツをまとめてダウンロードすることの指示を受け付けたか否かを判断する（ステップＳ１３１）。このステップＳ１３１の処理は、図１３Ｃに示した画面において、再生中の音楽コンテンツのアーティストの音楽コンテンツをまとめてダウンロードすることの指示する操作（ＯＫアイコンの選択操作）が行われたか否かを判断するものである。
【０３１１】
ステップＳ１３１の判断処理において、当該アーティストの音楽コンテンツをまとめてダウンロードすることが指示されたと判断したときには、ＣＰＵ１３０は、アーティスト単位ダウンロード要求を形成し、これをＬＡＮ５００に送出する（ステップＳ１３２）。
【０３１２】
具体的には、アーティスト単位ダウンロード要求をＬＡＮモジュール１１８、ＬＡＮ用送受信アンテナ１１９を通じて、ＬＡＮ５００に送出する。このステップＳ１３２で送出されるダウンロード要求は、図１４（Ｂ）に示すレイアウトのものである。
【０３１３】
図１４（Ｂ）に示すように、ステップＳ１２９で送出される要求は、送信元ＩＤ、送信先ＩＤを有すると共に、再生中の音楽コンテンツのアーティストの音楽コンテンツをまとめてダウンロードすることを要求するダウンロード要求が、送信する内容とされたものである。なお、この例の場合、送信元ＩＤには携帯電話端末１００のＩＤが、また、送信先ＩＤにはパーソナルコンピュータ４００のＩＤが入力される。
【０３１４】
そして、ステップＳ１２９の処理の後、上述したステップＳ１２４からの処理が行われる。
【０３１５】
また、ステップＳ１３１の判断処理において、当該アーティストの音楽コンテンツをまとめてダウンロードすることが指示されていないと判断したときには、ＣＰＵ１３０は、この処理（図８のステップＳ１０１からステップＳ１１２の処理、及び図１２の処理）を終了する。
【０３１６】
このように、この変形例１の場合には、ＬＡＮ５００に接続された機器から再生されている音楽コンテンツを携帯電話端末１００がダウンロードできるだけではない。再生されている音楽コンテンツを含むアルバム全体をダウンロードしたり、再生されている音楽コンテンツのアーティストの音楽コンテンツをまとめてダウンロードしたりすることもできる。
【０３１７】
この他、再生されている音楽コンテンツが属するジャンルの音楽コンテンツのうち、最近のヒット曲を中心にダウンロードできるようにしたり、再生されている音楽コンテンツと同時期に発売された音楽コンテンツをダウンロードできるようにしたりするなどのことも可能である。
【０３１８】
要は、記憶保持されている音楽コンテンツが有する種々の情報（メタデータ）を用いることによって、種々の条件で抽出可能な音楽コンテンツをダウンロードするように構成することが可能である。
【０３１９】
［変形例２］
上述した第１の実施の形態においては、音楽再生中の機器を照会し、音楽再生中の機器が分かったら、その機器に対して、再生されている音楽コンテンツの所在照会を行うようにした。
【０３２０】
しかし、実際には、再生されている音楽コンテンツの所在照会に先立って、再生されている音楽コンテンツの詳細情報を知りたい場合もある。例えば、再生されている音楽コンテンツの曲名やアーティスト名が分かれば、既に自分の携帯電話端末１００に記憶保持されているものか否かを判断することもできる場合などがあるためである。
【０３２１】
そこで、この第１の実施の形態の変形例２において、携帯電話端末１００は、まず、音楽再生中の機器照会を行い、次に、再生中の音楽の詳細情報の照会を行い、次に、再生中の音楽の所在照会を行うようにしている。
【０３２２】
図１５は、第１の実施の形態の変形例２の場合の処理を説明するためのシーケンス図である。この変形例２に場合、携帯電話端末１００のＣＰＵ１３０は、まず、機照会要求を形成し、これをＬＡＮモジュール１１８、ＬＡＮ用送受信アンテナ１１９を通じてＬＡＮ５００に接続されている全機器に対して送信する（ステップＳ１１）。当該機器照会要求は、無線ルーター２００、ＬＡＮ５００を通じて、音楽再生装置３００と、パーソナルコンピュータ４００とに送信される。
【０３２３】
第１の実施の形態のホームネットワークシステムにおいては、上述もしたように、音楽再生装置３００がパーソナルコンピュータ４００から音楽コンテンツの提供を受けて再生している。このため、音楽再生装置３００の制御部３１０は、自機が音楽コンテンツを再生中の機器であることを示す機器照会応答を形成し、これをＬＡＮＩ／Ｆ３０３、ＬＡＮ接続端子３０２を通じて要求元の携帯電話端末１００に送信する（ステップＳ１２）。
【０３２４】
当該機器照会応答は、ＬＡＮ５００、無線ルーター２００を通じて携帯電話端末１００に送信され、携帯電話端末１００に受信される。これにより、携帯電話端末１００は、音楽コンテンツを再生中のコンテンツ再生機器は、音楽再生装置３００であることを把握することができる。
【０３２５】
次に、携帯電話端末１００は、再生中の音楽に関する情報の提供を要求する音楽詳細情報提供要求を形成し、これをＬＡＮモジュール１１８、ＬＡＮ用送受信アンテナ１１９を通じてＬＡＮ５００に接続されている音楽再生装置３００に対して送信する（ステップＳ１３）。
【０３２６】
音楽再生装置３００は、ＬＡＮ接続端子３０２、ＬＡＮＩ／Ｆ３０３を通じて、自機宛の音楽詳細情報提供照会要求を受信すると、これを制御部３１０に通知する。音楽再生装置３００は、再生中の音楽コンテンツの提供を実際に受けており、制御部３１０は、当該再生中の音楽コンテンツはどのようなものかを把握している。
【０３２７】
具体的に、音楽再生装置３００の制御部３１０は、再生中の音楽コンテンツのタイトル、アーティスト名、ジャンルなどのコンテンツ自体についての情報を把握している。このため、音楽詳細情報提供要求を受信した音楽再生装置３００の制御部３１０は、再生中の音楽コンテンツについての詳細情報応答を形成し、これをＬＡＮＩ／Ｆ３０３、ＬＡＮ接続端子３０２を通じて要求元の携帯電話端末１００に送信する（ステップＳ１４）。
【０３２８】
ここで形成される詳細情報応答は、再生中の音楽コンテンツのアーティスト名、曲名、アルバム名、ジャンル等の情報からなるものである。これにより、携帯電話端末１００は、再生中の音楽コンテンツの詳細について把握することができる。ここで把握した詳細情報は、表示部１１３の表示画面に表示してユーザーに通知することができる。
【０３２９】
次に、携帯電話端末１００は、再生中の音楽の所在照会要求を形成し、これをＬＡＮモジュール１１８、ＬＡＮ用送受信アンテナ１１９を通じてＬＡＮ５００に接続されている音楽コンテンツ再生中の機器である音楽再生装置３００に送信する（ステップＳ１５）。
【０３３０】
音楽再生装置３００は、ＬＡＮ接続端子３０２、ＬＡＮＩ／Ｆ３０３を通じて、自機宛の音楽コンテンツの所在照会要求を受信すると、これを制御部３１０に通知する。音楽再生装置３００は、上述のように再生中の音楽コンテンツの提供を実際に受けており、制御部３１０は、当該再生中の音楽コンテンツは、どこに存在するかを把握している。
【０３３１】
このため、所在照会要求を受信した音楽再生装置３００の制御部３１０は、再生中の音楽コンテンツについての所在照会応答を形成し、これをＬＡＮＩ／Ｆ３０３、ＬＡＮ接続端子３０２を通じて要求元の携帯電話端末１００に送信する（ステップＳ１６）。
【０３３２】
ここで形成される所在照会応答は、再生中の音楽コンテンツは、少なくとも、どの装置の、どのフォルダに、どのようなファイル名で格納されているものであるかを通知することができるものである。
【０３３３】
当該所在照会応答は、ＬＡＮ５００、無線ルーター２００を通じて携帯電話端末１００に送信され、携帯電話端末１００に受信される。この第１の実施の形態においては、上述もしたように、音楽再生装置３００は、パーソナルコンピュータ４００からの音楽コンテンツを再生している。
【０３３４】
したがって、携帯電話端末１００は、音楽再生装置３００から所在照会応答に基づいて、再生中の音楽コンテンツは、パーソナルコンピュータ４００が保持するものであり、何と言うフォルダに、何と言うファイル名で格納されているかを把握することができる。
【０３３５】
携帯電話端末１００の制御部１１０は、所在照会応答に基づいて、音楽再生装置３００が再生中の音楽コンテンツの提供をパーソナルコンピュータ４００に対して要求する提供要求を形成し、これをパーソナルコンピュータ４００に送信する（ステップＳ１７）。
【０３３６】
すなわち、ステップＳ１７においては、携帯電話端末１００の制御部１１０が形成した提供要求を、ＬＡＮモジュール１１８、ＬＡＮ用送受信アンテナ１１９を通じてＬＡＮ５００に接続されているパーソナルコンピュータ４００に対して送信する。
【０３３７】
パーソナルコンピュータ４００は、ＬＡＮ接続端子４０３、ＬＡＮＩ／Ｆ４０４を通じて、自機宛の音楽コンテンツの提供要求を受信すると、これを制御部４１０に通知する。パーソナルコンピュータ４００の制御部４１０は、受信した提供要求に応じて、指示された音楽コンテンツをＨＤＤ４０５のハードディスクから読み出し、要求元の携帯電話端末１００に送信する（ステップＳ１８）。
【０３３８】
すなわち、制御部４１０によってＨＤＤ４０５のハードディスクから読み出された音楽コンテンツは、送信形式のデータとされた後、ＬＡＮＩ／Ｆ４０４、ＬＡＮ接続端子４０３を通じて、ＬＡＮ５００に送出され、携帯電話端末１００に送信される。
【０３３９】
これにより、携帯電話端末１００は、音楽再生装置３００が再生中の音楽コンテンツを、これを保持するパーソナルコンピュータ４００からダウンロードすることができるようにされる。
【０３４０】
この場合、携帯電話端末１００のユーザーは、再生中の音楽コンテンツがどの機器で再生されているか、また、実際にどの機器において保持されているのかを一切把握している必要は無い。携帯電話端末１００は、ＬＡＮ５００に接続された機器と通信を行うことにより、再生中の音楽コンテンツの所在を迅速かつ的確に把握、目的とする音楽コンテンツをダウンロードすることができる。
【０３４１】
また、再生中の音楽コンテンツの詳細情報を取得することができるので、携帯電話端末１００のユーザーはその詳細情報を確認し、ダウンロードすべき音楽コンテンツか否かを判断するのに役立てることができる。
【０３４２】
［変形例３］
なお、上述した第１の実施の形態のホームネットワークシステムにおいては、音楽再生装置３００と、パーソナルコンピュータ４００とが、共にコンテンツ再生装置にも、コンテンツ保持装置にもなれるものである。このため、いずれの機器が音楽コンテンツを再生しているのかを、携帯電話端末１００自身が把握するために、再生機器照会を行うようにした。
【０３４３】
しかし、携帯電話端末１００のユーザーが利用する音楽再生装置が決まっている場合には、再生機器照会を行う必要は無い。このように、携帯電話端末１００のユーザーが使用する音楽再生装置がデフォルトで決まっている場合には、コンテンツ再生装置として利用する音楽再生装置に対して、はじめから再生中の音楽コンテンツの所在照会を行うようにすればよい。
【０３４４】
したがって、図５に示したタイミングチャートにおいては、コンテンツ再生装置として決まって利用する装置が音楽再生装置３００であるとすると、ステップＳ３からの処理を行うようにすればよい。
【０３４５】
この場合には、携帯電話端末１００に対して、いわゆるデフォルトで使用する音楽再生装置を登録しておくことにより、当該音楽再生装置に対して、直接に再生中の音楽コンテンツの所在照会要求を送信するようにすることができる。
【０３４６】
［その他］
なお、上述した第１の実施の形態においては、パーソナルコンピュータ４００をコンテンツ保持装置であるものとして説明した。しかし、音楽再生装置３００が、自己の記録媒体からの音楽コンテンツを再生している場合もある。
【０３４７】
この場合には、コンテンツの所在は音楽再生装置３００ということになり、携帯電話端末１００には、音楽再生装置３００が再生中の音楽コンテンツを保持している装置として通知される。
【０３４８】
したがって、この場合には、携帯電話端末１００は、音楽再生装置３００に対して、音楽コンテンツの提供を要求することなる。しかし、この場合であっても、コンテンツの提供要求先が変わるだけであり、処理の内容が大きく異なることは無い。
【０３４９】
＜第２の実施の形態＞
上述した第１の実施の形態のホームネットワークシステムは、コンテンツ再生装置が１台の場合の例である。しかし、実際には、ＬＡＮ５００に多数の機器が接続され、同時に複数のコンテンツ再生装置が音楽コンテンツを再生している場合もある。このような場合、どのコンテンツ再生装置に対して要求を送信するかが問題になる。
【０３５０】
この第２の実施の形態のホームネットワークシステムは、同じＬＡＮに接続された複数のコンテンツ再生装置が同時に音楽コンテンツを再生している場合であっても、どのコンテンツ再生装置に対して要求を送信するかを携帯電話端末１００のユーザーが選択できるようにしたものである。
【０３５１】
なお、この第２の実施の形態においては、図１に示したホームネットワークシステムに対して、さらにもう１台、音楽再生装置３００が接続された場合を例にして説明する。すなわち、音楽再生装置３００Ａと、音楽再生装置３００Ｂと、パーソナルコンピュータ４００とが接続されているＬＡＮ５００に対して、携帯電話端末１００が無線ルータアクセスする場合を例にして説明する。
【０３５２】
また、携帯電話端末１００は、図２を用いて説明したものと同様の構成を有するものである。また、音楽再生装置３００Ａと音楽再生装置３００Ｂとについても、図３を用いて説明したものと同様の構成を有するものである。また、パーソナルコンピュータ４００についても、図４を用いて説明したものと同様の構成を有するものである。
【０３５３】
図１６は、第２の実施の形態のホームネットワークシステムの場合の処理を説明するためのシーケンス図である。この第２の実施の形態のホームネットワークシステムにおいては、音楽再生装置３００Ａと音楽再生装置３００Ｂとが音楽コンテンツを再生しているものとする。
【０３５４】
この第２の実施の形態のホームネットワークシステムにおいても、携帯電話端末１００のＣＰＵ１３０は、まず、機器照会要求を形成し、これをＬＡＮ５００に接続されている全機器に対して送信する（ステップＳ２１）。
【０３５５】
つまり、機器照会要求は、ＬＡＮモジュール１１８、ＬＡＮ用送受信アンテナ１１９、無線ルーター２００、ＬＡＮ５００を通じて、音楽再生装置３００Ａ、音楽再生装置３００Ｂ、パーソナルコンピュータ４００のそれぞれに送信される。
【０３５６】
この第２の実施の形態のホームネットワークシステムにおいても、音楽再生装置３００Ａ、３００Ｂはパーソナルコンピュータ４００から音楽コンテンツの提供を受けて再生している。
【０３５７】
このため、音楽再生装置３００Ａ、３００Ｂのそれぞれの制御部３１０は、自機が音楽コンテンツを再生中の機器であることを示す機器照会応答を形成し、これをＬＡＮＩ／Ｆ３０３、ＬＡＮ接続端子３０２を通じて要求元の携帯電話端末１００に送信する（ステップＳ２２、ステップＳＳ２３）。
【０３５８】
当該機器照会応答は、ＬＡＮ５００、無線ルーター２００を通じて携帯電話端末１００に送信され、携帯電話端末１００に受信される。これにより、携帯電話端末１００は、音楽コンテンツを再生中のコンテンツ再生機器は、音楽再生装置３００Ａ、３００Ｂであることを把握することができる。
【０３５９】
次に、携帯電話端末１００は、再生中の音楽に関する情報の提供を要求する音楽詳細情報提供要求を形成し、これを音楽再生装置３００Ａ、３００Ｂに対して送信する（ステップＳ２４、ステップＳ２５）。音楽詳細情報提供要求は、ＬＡＮモジュール１１８、ＬＡＮ用送受信アンテナ１１９を通じてＬＡＮ５００に接続されている音楽再生装置３００Ａ、３００Ｂに送信される。
【０３６０】
音楽再生装置３００Ａ、３００Ｂのそれぞれは、ＬＡＮ接続端子３０２、ＬＡＮＩ／Ｆ３０３を通じて、自機宛の音楽詳細情報提供照会要求を受信すると、これを制御部３１０に通知する。
【０３６１】
音楽再生装置３００Ａ、３００Ｂは、再生中の音楽コンテンツの提供を実際に受けており、それぞれの制御部３１０は、当該再生中の音楽コンテンツはどのようなものかを把握している。
【０３６２】
具体的に、音楽再生装置３００Ａ、３００Ｂの制御部３１０は、再生中の音楽コンテンツのタイトル、アーティスト名、ジャンルなどのコンテンツ自体についての情報を把握している。
【０３６３】
このため、音楽詳細情報提供要求を受信した音楽再生装置３００Ａ、３００Ｂのそれぞれの制御部３１０は、再生中の音楽コンテンツについての詳細情報応答を形成し、これをＬＡＮＩ／Ｆ３０３、ＬＡＮ接続端子３０２を通じて要求元の携帯電話端末１００に送信する（ステップＳ２６、ステップＳ２７）。
【０３６４】
ここで形成される詳細情報応答は、再生中の音楽コンテンツのアーティスト名、曲名、アルバム名、ジャンル等の情報からなるものである。これにより、携帯電話端末１００は、音楽再生装置３００Ａ、３００Ｂのそれぞれにおいて再生中の音楽コンテンツの詳細について把握することができる。
【０３６５】
次に、携帯電話端末１００のＣＰＵ１３０は、音楽再生装置３００Ａ、３００Ｂのそれぞれからの詳細情報応答に基づいて、再生中の音楽コンテンツの一覧リストを表示し、音楽コンテンツの選択入力を受け付ける（ステップＳ２８）。
【０３６６】
このステップＳ２８において、音楽再生装置３００Ａで再生されている音楽コンテンツが選択されたとする。再生されている音楽コンテンツが選択されることにより、当該音楽コンテンツを再生しているコンテンツ再生装置を特定することができる。詳細情報応答には、他の要求や応答と同じように、送信元ＩＤ、送信先ＩＤが付加されており、この送信元ＩＤによって選択された音楽コンテンツのコンテンツ再生装置を特定できる。
【０３６７】
携帯電話端末１００は、再生中の音楽の所在照会要求を形成し、これを選択された音楽コンテンツを再生している音楽再生装置３００Ａに送信する（ステップＳ２９）。この所在照会要求は、ＬＡＮモジュール１１８、ＬＡＮ用送受信アンテナ１１９を通じてＬＡＮ５００に送出される。
【０３６８】
選択された音楽再生装置３００Ａは、ＬＡＮ接続端子３０２、ＬＡＮＩ／Ｆ３０３を通じて、自機宛の音楽コンテンツの所在照会要求を受信すると、これを制御部３１０に通知する。音楽再生装置３００は、上述のように再生中の音楽コンテンツの提供を実際に受けており、制御部３１０は、当該再生中の音楽コンテンツは、どこに存在するかを把握している。
【０３６９】
このため、所在照会要求を受信した音楽再生装置３００の制御部３１０は、再生中の音楽コンテンツについての所在照会応答を形成し、これをＬＡＮＩ／Ｆ３０３、ＬＡＮ接続端子３０２を通じて要求元の携帯電話端末１００に送信する（ステップＳ３０）。
【０３７０】
ここで形成される所在照会応答は、再生中の音楽コンテンツは、少なくとも、どの装置の、どのフォルダに、どのようなファイル名で格納されているものであるかを通知することができるものである。
【０３７１】
当該所在照会応答は、ＬＡＮ５００、無線ルーター２００を通じて携帯電話端末１００に送信され、携帯電話端末１００に受信される。この第２の実施の形態においても、音楽再生装置３００Ａは、パーソナルコンピュータ４００からの音楽コンテンツを再生している。
【０３７２】
したがって、携帯電話端末１００は、音楽再生装置３００Ａから所在照会応答に基づいて、再生中の音楽コンテンツは、パーソナルコンピュータ４００が保持するものであり、何と言うフォルダに、何と言うファイル名で格納されているかを把握することができる。
【０３７３】
携帯電話端末１００の制御部１１０は、所在照会応答に基づいて、音楽再生装置３００Ａが再生中の音楽コンテンツの提供をパーソナルコンピュータ４００に対して要求する提供要求を形成し、これをパーソナルコンピュータ４００に送信する（ステップＳ３１）。
【０３７４】
すなわち、ステップＳ３１においては、携帯電話端末１００の制御部１１０が形成した提供要求を、ＬＡＮモジュール１１８、ＬＡＮ用送受信アンテナ１１９を通じてＬＡＮ５００に接続されているパーソナルコンピュータ４００に対して送信する。
【０３７５】
パーソナルコンピュータ４００は、ＬＡＮ接続端子４０３、ＬＡＮＩ／Ｆ４０４を通じて、自機宛の音楽コンテンツの提供要求を受信すると、これを制御部４１０に通知する。パーソナルコンピュータ４００の制御部４１０は、受信した提供要求に応じて、指示された音楽コンテンツをＨＤＤ４０５のハードディスクから読み出し、要求元の携帯電話端末１００に送信する（ステップＳ３２）。
【０３７６】
すなわち、制御部４１０によってＨＤＤ４０５のハードディスクから読み出された音楽コンテンツは、送信形式のデータとされた後、ＬＡＮＩ／Ｆ４０４、ＬＡＮ接続端子４０３を通じて、ＬＡＮ５００に送出され、携帯電話端末１００に送信される。
【０３７７】
このように、同じＬＡＮ上に複数の音楽再生装置が接続され、それらが同時に音楽コンテンツを再生している場合には、それらから再生している音楽コンテンツの詳細情報を得るようにする。
【０３７８】
そして、その詳細情報に基づいて、目的とする音楽コンテンツを選択することにより、当該音楽コンテンツを再生している音楽再生装置をも特定して、当該コンテンツの所在を照会し、目的とする音楽コンテンツのダウンロードを行うことができる。
【０３７９】
［変形例１］
ところで、上述したように、複数の音楽再生装置が同時に音楽コンテンツを再生している場合に、音楽コンテンツを選択する場合には、音楽コンテンツの詳細を携帯電話端末１００のユーザーが知らなければならない。
【０３８０】
しかし、再生されている音楽コンテンツの曲名やアーティスト名を知らない場合もあり、このような場合には、音楽コンテンツの選択はできない。そこで、この第２の実施の形態の変形例においては、音楽再生装置自身を選択できるようにするものである。
【０３８１】
図１７は、第２の実施の形態の変形例の処理を説明するためのシーケンス図である。この変形例においても、音楽再生装置３００Ａと音楽再生装置３００Ｂとが音楽コンテンツを再生しているものとする。
【０３８２】
この第２の実施の形態の変形例においても、携帯電話端末１００のＣＰＵ１３０は、まず、機器照会要求を形成し、これをＬＡＮ５００に接続されている全機器に対して送信する（ステップＳ４１）。
【０３８３】
つまり、機器照会要求は、ＬＡＮモジュール１１８、ＬＡＮ用送受信アンテナ１１９、無線ルーター２００、ＬＡＮ５００を通じて、音楽再生装置３００Ａ、音楽再生装置３００Ｂ、パーソナルコンピュータ４００のそれぞれに送信される。
【０３８４】
この第２の実施の形態の変形例のホームネットワークシステムにおいても、音楽再生装置３００Ａ、３００Ｂはパーソナルコンピュータ４００から音楽コンテンツの提供を受けて再生している。
【０３８５】
このため、音楽再生装置３００Ａ、３００Ｂのそれぞれの制御部３１０は、自機が音楽コンテンツを再生中の機器であることを示す機器照会応答を形成し、これをＬＡＮＩ／Ｆ３０３、ＬＡＮ接続端子３０２を通じて要求元の携帯電話端末１００に送信する（ステップＳ４２、ステップＳ４３）。
【０３８６】
当該機器照会応答は、ＬＡＮ５００、無線ルーター２００を通じて携帯電話端末１００に送信され、携帯電話端末１００に受信される。これにより、携帯電話端末１００は、音楽コンテンツを再生中のコンテンツ再生機器は、音楽再生装置３００Ａ、３００Ｂであることを把握することができる。
【０３８７】
そして、携帯電話端末１００のＣＰＵ１３０は、音楽再生装置３００Ａ、３００Ｂのそれぞれからの機器照会応答に基づいて、音楽コンテンツを再生している機器の一覧リストを表示し、コンテンツ再生機器の選択入力を受け付ける（ステップＳ４４）。再生機器照会応答には、上述もしたように、送信元ＩＤが付加されているので、これに基づいて、音楽コンテンツを再生している機器を特定できる。
【０３８８】
このステップＳ４４において、音楽再生装置３００Ａが選択されたとする。次に、携帯電話端末１００は、再生中の音楽に関する情報の提供を要求する音楽詳細情報提供要求を形成し、これを音楽再生装置３００Ａに対して送信する（ステップＳ４５）。音楽詳細情報提供要求は、ＬＡＮモジュール１１８、ＬＡＮ用送受信アンテナ１１９を通じてＬＡＮ５００に接続されている音楽再生装置３００Ａに送信される。
【０３８９】
音楽再生装置３００Ａは、ＬＡＮ接続端子３０２、ＬＡＮＩ／Ｆ３０３を通じて、自機宛の音楽詳細情報提供照会要求を受信すると、これを制御部３１０に通知する。音楽再生装置３００Ａは、再生中の音楽コンテンツの提供を実際に受けており、制御部３１０は、当該再生中の音楽コンテンツはどのようなものかを把握している。具体的に、音楽再生装置３００Ａの制御部３１０は、再生中の音楽コンテンツのタイトル、アーティスト名、ジャンルなどのコンテンツ自体についての情報を把握している。
【０３９０】
このため、音楽詳細情報提供要求を受信した音楽再生装置３００Ａの制御部３１０は、再生中の音楽コンテンツについての詳細情報応答を形成し、これをＬＡＮＩ／Ｆ３０３、ＬＡＮ接続端子３０２を通じて要求元の携帯電話端末１００に送信する（ステップＳ４６）。
【０３９１】
ここで形成される詳細情報応答は、再生中の音楽コンテンツのアーティスト名、曲名、アルバム名、ジャンル等の情報からなるものである。これにより、携帯電話端末１００は、音楽再生装置３００Ａにおいて再生中の音楽コンテンツの詳細について把握することができる。
【０３９２】
次に、携帯電話端末１００は、再生中の音楽の所在照会要求を形成し、これを選択された音楽再生装置３００Ａに送信する（ステップＳ４７）。この所在照会要求は、ＬＡＮモジュール１１８、ＬＡＮ用送受信アンテナ１１９を通じてＬＡＮ５００に送出される。
【０３９３】
選択された音楽再生装置３００Ａは、ＬＡＮ接続端子３０２、ＬＡＮＩ／Ｆ３０３を通じて、自機宛の音楽コンテンツの所在照会要求を受信すると、これを制御部３１０に通知する。音楽再生装置３００は、上述のように再生中の音楽コンテンツの提供を実際に受けており、制御部３１０は、当該再生中の音楽コンテンツは、どこに存在するかを把握している。
【０３９４】
このため、所在照会要求を受信した音楽再生装置３００の制御部３１０は、再生中の音楽コンテンツについての所在照会応答を形成し、これをＬＡＮＩ／Ｆ３０３、ＬＡＮ接続端子３０２を通じて要求元の携帯電話端末１００に送信する（ステップＳ４８）。
【０３９５】
ここで形成される所在照会応答は、再生中の音楽コンテンツは、少なくとも、どの装置の、どのフォルダに、どのようなファイル名で格納されているものであるかを通知することができるものである。
【０３９６】
当該所在照会応答は、ＬＡＮ５００、無線ルーター２００を通じて携帯電話端末１００に送信され、携帯電話端末１００に受信される。この第２の実施の形態の変形例においても、音楽再生装置３００Ａは、パーソナルコンピュータ４００からの音楽コンテンツを再生している。
【０３９７】
したがって、携帯電話端末１００は、音楽再生装置３００Ａから所在照会応答に基づいて、再生中の音楽コンテンツは、パーソナルコンピュータ４００が保持するものであり、何と言うフォルダに、何と言うファイル名で格納されているかを把握することができる。
【０３９８】
携帯電話端末１００の制御部１１０は、所在照会応答に基づいて、音楽再生装置３００Ａが再生中の音楽コンテンツの提供をパーソナルコンピュータ４００に対して要求する提供要求を形成し、これをパーソナルコンピュータ４００に送信する（ステップＳ４９）。
【０３９９】
すなわち、ステップＳ４９においては、携帯電話端末１００の制御部１１０が形成した提供要求を、ＬＡＮモジュール１１８、ＬＡＮ用送受信アンテナ１１９を通じてＬＡＮ５００に接続されているパーソナルコンピュータ４００に対して送信する。
【０４００】
パーソナルコンピュータ４００は、ＬＡＮ接続端子４０３、ＬＡＮＩ／Ｆ４０４を通じて、自機宛の音楽コンテンツの提供要求を受信すると、これを制御部４１０に通知する。パーソナルコンピュータ４００の制御部４１０は、受信した提供要求に応じて、指示された音楽コンテンツをＨＤＤ４０５のハードディスクから読み出し、要求元の携帯電話端末１００に送信する（ステップＳ５０）。
【０４０１】
すなわち、制御部４１０によってＨＤＤ４０５のハードディスクから読み出された音楽コンテンツは、送信形式のデータとされた後、ＬＡＮＩ／Ｆ４０４、ＬＡＮ接続端子４０３を通じて、ＬＡＮ５００に送出され、携帯電話端末１００に送信される。
【０４０２】
このように、同じＬＡＮ上に複数の音楽再生装置が接続され、それらが同時に音楽コンテンツを再生している場合には、それらから機器照会応答を得るようにする。
【０４０３】
そして、その機器照会応答に基づいて、再生機器の一覧リストを表示し、目的とするコンテンツ再生装置を選択することにより、当該音楽再生装置に対して当該音声コンテンツの所在を照会し、目的とする音楽コンテンツのダウンロードを行うことができる。
【０４０４】
この場合、携帯電話端末１００のユーザーは、再生中の音楽コンテンツの詳細について知らなくても、音楽コンテンツを再生している音楽再生装置を選択するだけで、その選択された音楽再生装置が再生している音楽コンテンツをダウンロードすることができる。
【０４０５】
また、図１７を用いて説明した第２の実施の形態の変形例１の場合には、目的とするコンテンツ再生装置を選択した後に、その選択したコンテンツ再生装置に音楽コンテンツの詳細情報提供要求を送信し、再生中の音楽コンテンツの詳細情報を取得するようにした。
【０４０６】
しかし、これに限るものではない。第２の実施の形態の変形例１の場合には、図１７に示したステップＳ４５、ステップＳ４６の手順については省略するようにしてもよい。
【０４０７】
［方法の発明の適用］
上述した携帯電話端末１００は、この発明によるコンテンツ取得方法が適用されたものである。具体的には、図５、図８、図９、図１１、図１２、図１５、図１６、図１７を用いて説明したように、携帯電話端末１００において行われる音楽コンテンツの取得過程が、この発明によるコンテンツ取得方法に対応している。
【０４０８】
すなわち、第１のコンテンツ取得方法の発明は、  
（１）通信手段を通じてネットワークに接続し、  
（２）コンテンツ再生装置に対して再生中のコンテンツの所在照会要求を送信し、  
（３）当該所在照会要求に応じて送信されてくる所在照会応答を受信して、当該所在照会応答により再生中のコンテンツの所在を把握し、  
（４）把握したコンテンツの所在先（コンテンツの保持装置）に当該コンテンツの提供を要求し、  
（５）これに応じて送信されてくるコンテンツを受信して利用できるようにするものであり、主に、第１の実施の形態として図５、図８を用いて説明した一部の部分に相当する。
【０４０９】
第２のコンテンツ取得方法の発明は、  
上記（１）〜（５）の処理に先立って、  
（Ａ）コンテンツ再生中の機器を問い合わせる機器照会要求を送信し、  
（Ｂ）これに応じて送信されてくる機器照会応答により、コンテンツ再生機器を特定し、この特定したコンテンツ再生機器に対して、上記（１）の処理を行うようにしたものであり、主に、第１の実施の形態として、図５、図８、図１５を用いて説明した部分に相当する。
【０４１０】
第３のコンテンツ取得方法の発明は、
上記（Ａ）、（Ｂ）に加えて、複数の機器から機器照会応答が送信されてきた場合に、携帯電話端末のユーザーがどのコンテンツ再生機器を対象とするかを選択可能する工程を有するようにしたものであり、第２の実施の形態として、図１６、図１７を用いて説明した部分に相当する。
【０４１１】
また、第４、第５のコンテンツ取得方法の発明は、
コンテンツ保持装置からコンテンツの提供を受ける場合のコンテンツの提供態様を種々変更できるようにするものであり、第１の実施の形態において、変形例１として、図１１〜図１４等を用いて説明した部分に相当する。
【０４１２】
また、上述した音楽再生装置３００は、この発明によるコンテンツの所在通知方法が適用されたものである。具体的には、図５、図８、図９、図１１、図１２、図１５、図１６、図１７を用いて説明したように、音楽再生装置３００において行われる問合せに応じて音楽コンテンツの所在を通知する過程が、この発明によるコンテンツの所在通知方法に対応している。
【０４１３】
すなわち、第１のコンテンツ所在通知方法は、  
（１）通信手段を通じてネットワークに接続し、  
（２）自機においてコンテンツを再生するようにし、  
（３）再生しているコンテンツの所在照会要求を受信した場合に、自機が保持する情報に基づいて、再生中のコンテンツの所在を通知する所在照会応答を形成して、要求元に返信するものであり、主に、第１の実施の形態として図５、図９を用いて説明した一部の部分に相当する。
【０４１４】
第２のコンテンツ所在通知方法の発明は、  
上記（１）〜（３）の処理に先立って、  
（Ａ）再生機器を問い合わせる機器照会供給を受信した場合に、  
（Ｂ）自機がコンテンツを再生していれば、これに応じて自機がコンテンツ再生中の機器であることを示す機器照会応答を返信するようにしたものであり、主に、第１の実施の形態として、図５、図９を用いて説明した部分に相当する。
【０４１５】
［プログラムの発明の適用］
上述した携帯電話端末１００は、この発明によるコンテンツ取得プログラムが適用されたものである。具体的には、図５、図８、図９、図１１、図１２、図１５、図１６、図１７を用いて説明したように、携帯電話端末１００において行われる音楽コンテンツの取得過程が、この発明によるコンテンツ取得プログラムによって行われる。
【０４１６】
すなわち、第１のコンテンツ取得プログラムの発明は、  
（１）通信手段を通じてネットワークに接続するステップと、  
（２）コンテンツ再生装置に対して再生中のコンテンツの所在照会要求を送信するステップと、  
（３）当該所在照会要求に応じて送信されてくる所在照会応答を受信して、当該所在照会応答により再生中のコンテンツの所在を把握するステップと、  
（４）把握したコンテンツの所在先（コンテンツの保持装置）に当該コンテンツの提供を要求するステップと、  
（５）これに応じて送信されてくるコンテンツを受信して利用できるようにするステップとからなるプログラムであり、主に、第１の実施の形態として図５、図８を用いて説明した一部の処理を、携帯電話端末１００のＣＰＵ１３０が実行することにより、携帯電話端末１００の各部を制御するようにしたものである。
【０４１７】
第２のコンテンツ取得方法の発明は、  
上記（１）〜（５）の処理に先立って、  
（Ａ）コンテンツ再生中の機器を問い合わせる機器照会要求を送信するステップと、  
（Ｂ）これに応じて送信されてくる機器照会応答により、コンテンツ再生機器を特定するステップとをさらに携帯電話端末１００のＣＰＵ１３０が実行し、これによって特定したコンテンツ再生機器に対して、上記（１）のステップを実行するようにしたプログラムであり、主に、第１の実施の形態として、図５、図８、図１５を用いて説明した処理を、携帯電話端末１００のＣＰＵ１３０が実行することにより、携帯電話端末１００の各部を制御するようにしたものである。
【０４１８】
第３のコンテンツ取得方法の発明は、  
上記（Ａ）、（Ｂ）に加えて、複数の機器から機器照会応答が送信されてきた場合に、携帯電話端末のユーザーがどのコンテンツ再生機器を対象とするかを選択可能するステップを有するようにしたものであり、第２の実施の形態として、図１６、図１７を用いて説明した処理を、携帯電話端末１００のＣＰＵ１３０が実行することにより、携帯電話端末１００の各部を制御するようにしたものである。
【０４１９】
また、上述した音楽再生装置３００は、この発明によるコンテンツの所在通知プログラムが適用されたものである。具体的には、図５、図８、図９、図１１、図１２、図１５、図１６、図１７を用いて説明したように、音楽再生装置３００において行われる問合せに応じて音楽コンテンツの所在を通知するまでに行われる処理が、この発明によるコンテンツの所在通知プログラムによって行われる処理に対応している。
【０４２０】
すなわち、第１のコンテンツ所在通知プログラムは、  
（１）通信手段を通じてネットワークに接続するステップと、  
（２）自機においてコンテンツを再生するステップと、  
（３）再生しているコンテンツの所在照会要求を受信した場合に、自機が保持する情報に基づいて、再生中のコンテンツの所在を通知する所在照会応答を形成して、要求元に返信するステップとからなるプログラムであり、主に、第１の実施の形態として図５、図９を用いて説明した一部の処理を、音楽再生装置３００のＣ制御部３１０が実行することにより、音楽再生装置３００の各部を制御するようにしたものである。
【０４２１】
第２のコンテンツ所在通知プログラムの発明は、  
上記（１）〜（３）の処理に先立って、  
（Ａ）再生機器を問い合わせる機器照会要求を受信するステップと、  
（Ｂ）機器照会要求を受信した場合に、自機がコンテンツを再生していれば、これに応じて自機がコンテンツ再生中の機器であることを示す機器照会応答を返信するステップとをさらに音楽再生装置３００のＣＰＵ１３０が実行するようにしたプログラムであり、主に、第１の実施の形態として、図５、図９、図１５を用いて説明した音楽再生装置３００の処理を音楽再生装置３００の制御部３１０が実行することにより、音楽再生装置３００の各部を制御するようにしたものである。
【０４２２】
［その他］
また、上述した第１、第２の実施の形態においては、携帯電話端末１００が、再生中の音楽コンテンツをダウンロードするものとして説明した。この場合、ダウンロードした音楽コンテンツを自機の記録媒体、例えば、外部メモリ１２１に格納し、いつでも利用できるようにすることができる。また、ダウンロードして得るようにした音楽コンテンツをストリーミング再生して利用するように構成することももちろん可能である。
【０４２３】
また、上述した第１、第２の実施の形態においては、ダウンロード対象のコンテンツデータは、音楽コンテンツであるものとして説明したが、これに限るものではない。ダウンロードするコンテンツデータは、動画データや動画と音声とを同期を取って再生できるようにしたいわゆるＡＶ（Audio/Visual）データ等をダウンロードする場合にもこの発明を適用することができる。
【０４２４】
また、ＬＡＮに接続される機器は、上述した機器に限られるものではなく、ＬＡＮ接続機能を備えたテレビ受像機、ハードディスクレコーダ、携帯通信端末、ゲーム機など、ＬＡＮ接続機能を備えた種々の電子機器が接続されたネットワークシステムにこの発明を適用できる。
【０４２５】
したがって、この発明の携帯電子機器は、携帯電話端末に限られるものではない。携帯情報端末、携帯型ゲーム機、ノートパーソナルコンピュータ、電子手帳などの種々の形態電子機器にこの発明の携帯電子機器を適用することができる。
【０４２６】
また、この発明のコンテンツ再生装置は、音楽再生装置に限られるものではない。テレビ受像機、ハードディスクレコーダ、ノートパーソナルコンピュータなど、コンテンツ再生機能を備えた種々のコンテンツ再生装置やいわゆるレンダラ装置に適用することができる。
【０４２７】
また、上述した実施の形態において、ＬＡＮに接続される機器は、ＤＬＮＡガイドラインに沿った機能に準拠しているものとして説明したが、これに限るものではない。種々の規格のＬＡＮに接続し、情報の送受が可能なＬＡＮ対応機器であればよい。
【図面の簡単な説明】
【０４２８】
【図１】第１の実施の形態のホームネットワークシステム（コンテンツ利用システム）の概要を説明するための図である。
【図２】この発明の携帯電子機器の一実施の形態が適用された、携帯電話端末１００の構成例を説明するためのブロック図である。
【図３】この発明のコンテンツ再生装置の一実施の形態が適用された音楽再生装置３００の構成例を説明するためのブロック図である。
【図４】第１の実施の形態のホームネットワークシステムに接続されるパーソナルコンピュータ４００の構成例を説明するためのブロック図である。
【図５】パーソナルコンピュータ４００からの音楽コンテンツを音楽再生機器３００がさせしている場合に、当該音楽コンテンツを携帯電話端末１００がダウンロードする婆の書く機器間の動作を説明するためのシーケンス図である。
【図６】第１の実施の形態のホームネットワークシステムにおいて、各機器間で送受される要求や応答のレイアウト例を説明するための図である。
【図７】第１の実施の形態のホームネットワークシステムにおいて、各機器間で送受される要求や応答のレイアウト例を説明するための図である。
【図８】携帯電話端末１００の動作を説明するためのフローチャートである。
【図９】音楽再生装置３００の動作を説明するためのフローチャートである。
【図１０】第１の実施の形態の携帯電話端末１００の画面遷移の例を説明するための図である。
【図１１】第１の実施の形態の変形例１の場合の処理を説明するためのシーケンス図である。
【図１２】第１の実施の形態の変形例１の場合の携帯電話端末１００の動作を説明するためのフローチャートである。
【図１３】図１２に示した処理において、携帯電話端末１００の表示部１１３の表示画面１１３Ｇに表示される表示画面の表示例を示す図である。
【図１４】図１２に示した処理において、携帯電話端末１００からパーソナルコンピュータ４００に送信されるダウンロード要求のレイアウト例を示す図である。
【図１５】第１の実施の形態の変形例２の場合の処理を説明するためのシーケンス図である。
【図１６】第２の実施の形態のホームネットワークシステムの場合の処理を説明するためのシーケンス図である。
【図１７】第２の実施の形態の変形例の処理を説明するためのシーケンス図である。
【図１８】ＤＬＮＡに準拠した民生用電子機器のホームネットワークシステムの従来の構成例を説明するための図である。
【符号の説明】
【０４２９】
１００…携帯電話端末、１０１…制御ライン、１０２…データライン、１０３…送受信アンテナ、１０４…通信回路、１０５…Ｄ／Ａ変換器、１０６…スピーカ、１０７…マイクロホン、１０８…Ａ／Ｄ変換器、１０９…ＲＯＭ、１１０…ＲＡＭ、１１１…ＥＥＰＲＯＭ、１１２…表示制御部、１１３…表示部、１１４…キー操作部、１１５…押下検出部、１１６…鳴動制御部、１１７…振動装置、１１８…ＬＡＮモジュール、１１９ＬＡＮ用送受信アンテナ、１２０…カメラモジュール、１２１…外部メモリ、１２２…音楽再生部、１２３…ヘッドホン、２００…無線ルーター、３００…音楽再生装置、３０１…メディアドライブ、３０２…ＬＡＮ接続端子、３０３…ＬＡＮＩ／Ｆ、３０４…セレクタ、３０５…再生処理部、３０６Ｌ、３０６Ｒ…スピーカ、３１０…制御部、３１１…ＣＰＵ、３１２…ＲＯＭ、３１３…ＲＡＭ、３１４…ＥＥＰＲＯＭ、３１５…ＣＰＵバス、３２０…操作部、４００…パーソナルコンピュータ、４０１…通信回線への接続端子、４０２…通信Ｉ／Ｆ、４０３…ＬＡＮ接続端子、４０４…ＬＡＮＩ／Ｆ、４０５…ハードディスクドライブ、４０６…映像再生部、４０７…表示部、４０８…音声再生部、４０９…スピーカ、４１０…制御部、４１１…ＣＰＵ、４１２…ＲＯＭ、４１３…ＲＡＭ、４１４…ＥＥＰＲＯＭ、４２０…操作部、４３１…外部Ｉ／Ｆ、４３２…入出力端子
【図１】
2010049526.tif 000003
【図２】
2010049526.tif 000004
【図３】
2010049526.tif 000005
【図４】
2010049526.tif 000006
【図５】
2010049526.tif 000007
【図６】
2010049526.tif 000008
【図７】
2010049526.tif 000009
【図８】
2010049526.tif 000010
【図９】
2010049526.tif 000011
【図１０】
2010049526.tif 000012
【図１１】
2010049526.tif 000013
【図１２】
2010049526.tif 000014
【図１３】
2010049526.tif 000015
【図１４】
2010049526.tif 000016
【図１５】
2010049526.tif 000017
【図１６】
2010049526.tif 000018
【図１７】
2010049526.tif 000019
【図１８】
2010049526.tif 000020